(57)【特許請求の範囲】
【請求項１】
ワイヤレス通信ネットワークのインターワーキング機能（ＩＷＦ）により、マシンタイプ通信サーバ（ＭＴＣサーバ）から、前記ＭＴＣサーバと複数のＭＴＣデバイスとの間の通信を開始するためのトリガを受信するステップと、
前記ＩＷＦにより、セルブロードキャストセンター（ＣＢＣ）を含む第一モジュールへの第一リファレンスポイントを介して、または、モビリティマネジメントエンティティ（ＭＭＥ）もしくはサービング汎用パケット無線サービス（ＧＰＲＳ）サポートノード（ＳＧＳＮ）を含む第二モジュールへの第二リファレンスポイントを介して、無線アクセスネットワーク（ＲＡＮ）を使用して前記複数のＭＴＣデバイスにトリガリング指示を送信するステップと、
を備え、
前記トリガリング指示を送信するステップは、前記第二モジュールへの前記第二リファレンスポイントを介してページングメッセージにおいて行われ、
前記ページングメッセージは、前記複数のＭＴＣデバイスのうちの個々のＭＴＣデバイスに、ＭＴＣシステム情報ブロック（ＳＩＢ）のブロードキャスト伝送を通知し、
前記ＭＴＣ  ＳＩＢは、ＭＴＣトリガ指示と、前記複数のＭＴＣデバイスのグループを示すＭＴＣグループＩＤとを含み、
前記ＲＡＮは、ユニバーサル地上波無線アクセスネットワーク（ＵＴＲＡＮ）である
方法。
【請求項２】
前記ＭＴＣ  ＳＩＢは、複数のＭＴＣグループのためのＭＴＣトリガ情報を含む、請求項１に記載の方法。
【請求項３】
前記受信するステップは、前記ＭＴＣサーバと前記複数のＭＴＣデバイスとの間の前記通信を開始するための前記トリガを指示し、かつ、ＭＴＣアプリケーションＩＤを含むメッセージを受信する、請求項１又は２に記載の方法。
【発明の詳細な説明】
【関連出願の相互参照】
【０００１】
本出願は、全ての目的で明細書全体が参照により本明細書に組み込まれる２０１１年１１月４日に出願の「Ａｄｖａｎｃｅｄ  Ｗｉｒｅｌｅｓｓ  Ｃｏｍｍｕｎｉｃａｔｉｏｎ  Ｓｙｓｔｅｍｓ  Ａｎｄ  Ｔｅｃｈｎｉｑｕｅｓ（高度ワイヤレス通信システムおよび技術）」と題する米国特許仮出願第６１／５５６，１０９号に対する優先権を主張する、２０１２年９月１１日に出願の「Ｔｅｃｈｎｉｑｕｅｓ  Ａｎｄ  Ｃｏｎｆｉｇｕｒａｔｉｏｎｓ  Ｆｏｒ  Ｔｒｉｇｇｅｒｉｎｇ  Ａ  Ｐｌｕｒａｌｉｔｙ  Ｏｆ  Ｗｉｒｅｌｅｓｓ  Ｄｅｖｉｃｅｓ（複数のワイヤレスデバイスをトリガするための技術および構成）」と題する米国特許出願第１３／６１０，７７２号に対する優先権を主張する。
【技術分野】
【０００２】
本開示の実施形態は、一般にワイヤレス通信システムの分野に関し、特に、例えばワイヤレス通信ネットワークにおいてマシンタイプ通信（ＭＴＣ）デバイス等の複数のワイヤレスデバイスをトリガするための技術および構成に関する。
【背景技術】
【０００３】
ブロードバンド速度での情報の転送を促進するモバイルネットワークの開発および配備が続けられている。このようなネットワークは本明細書において、ブロードバンドワイヤレスアクセス（ＢＷＡ）ネットワークと俗に称されうる。多様なタイプのデバイスが、ブロードバンドワイヤレス技術において使用されうる。このようなデバイスには、例えばパーソナルコンピュータ、スマートフォン、ラップトップ、ネットブック、ウルトラブック、タブレット、ハンドヘルドデバイス、および音楽プレーヤ、デジタルカメラ等、ワイヤレスブロードバンドネットワークを介して通信するように構成されたその他の家電が含まれる。
【０００４】
マシンツーマシン（Ｍ２Ｍ）は、ワイヤレスおよびワイヤードシステムが人間の介入なしで他のデバイスと通信することを可能にする技術をさしうる。Ｍ２Ｍは、例えばセンサまたはメータ等のデバイスを使用して情報を収集し、この情報が、情報を意味のあるデータに翻訳するアプリケーションにネットワーク（例えばワイヤレス、ワイヤードまたはハイブリッド）を通じてリレーされうる。デバイスは、例えばＢＷＡネットワーク内のＭＴＣサーバと通信するように構成されたマシンタイプ通信（ＭＴＣ）デバイスでありうる。世界中のＢＷＡネットワークの拡大とこれに伴う速度／帯域幅の増加およびワイヤレス通信の電力減少により、Ｍ２Ｍ通信の成長が促進されている。ＭＴＣデバイスにより送信されるデータの量は非常に小さいが、多数のこれらのデバイスが組み合わせられればネットワーク上の負荷が増加しうる。
【０００５】
ＭＴＣデバイスのユーザは、ＭＴＣデバイスからの通信を制御し、ＭＴＣデバイスによるＭＴＣサーバのランダムアクセスを防止するために、ＭＴＣデバイスとＭＴＣサーバとの間の通信につきポールモデルを所望しうる。さらに、ＭＴＣデバイスが通信を開始するいくつかの応用例では、ＭＴＣサーバがＭＴＣデバイスからデータをポーリングすることが所望されうる。マシンタイプ通信（ＭＴＣ）データ等の少量のデータペイロードの伝送のために複数のワイヤレスデバイス（例えばＭ２Ｍデバイス）をトリガする現在の技術は、非効率的または新たなＢＷＡネットワークには不適合でありうる。
【０００６】
添付の図面とあわせた以下の詳細な説明により、実施形態が容易に理解される。この説明を促進するために、同様の参照番号は同様の構造要素をさす。添付の図面には、実施形態が限定ではなく例示として示されている。
【図面の簡単な説明】
【０００７】
【図１】いくつかの実施形態によるブロードバンドワイヤレスアクセス（ＢＷＡ）ネットワークの例を示した概略図である。
【図２】いくつかの実施形態による複数のワイヤレスデバイスをトリガするためのシステムアーキテクチャを示した概略図である。
【図３】いくつかの実施形態による複数のワイヤレスデバイスをトリガするためのスキームの例を示した概略図である。
【図４】いくつかの実施形態によるメッセージ識別子（ｍｅｓｓａｇｅ  ｉｄｅｎｔｉｆｉｅｒ）情報要素（ＩＥ：ｉｎｆｏｒｍａｔｉｏｎ  ｅｌｅｍｅｎｔ）を示した概略図である。
【図５】いくつかの実施形態によるメッセージ内容（ｍｅｓｓａｇｅ  ｃｏｎｔｅｎｔ）情報要素（ＩＥ）を示した概略図である。
【図６】いくつかの実施形態によるメッセージ内容情報要素（ＩＥ）のメッセージ内容例を示した概略図である。
【図７】いくつかの実施形態によるトリガ指示子（ｔｒｉｇｇｅｒ  ｉｎｄｉｃａｔｏｒ）情報要素（ＩＥ）を示した概略図である。
【図８】いくつかの実施形態によるトリガ−少量データ情報（ｔｒｉｇｇｅｒ−ｓｍａｌｌ  ｄａｔａ  ｉｎｆｏｒｍａｔｉｏｎ）情報要素（ＩＥ）を示した概略図である。
【図９】いくつかの実施形態によるショートメッセージサービスセルブロードキャスト（ＳＭＳＣＢ）情報要素（ＩＥ）を示した概略図である。
【図１０】いくつかの実施形態によるＳＭＳＣＢメッセージ（ＳＭＳＣＢ  ｍｅｓｓａｇｅ）情報要素（ＩＥ）を示した概略図である。
【図１１】いくつかの実施形態による複数のワイヤレスデバイスをトリガするためのスキームの別の例を示した概略図である。
【図１２】いくつかの実施形態による複数のワイヤレスデバイスをトリガするための方法を示した流れ図である。
【図１３】本明細書に記載の様々な実施形態を実践するために使用されうるシステム例を示した概略図である。
【発明を実施するための形態】
【０００８】
本開示の実施形態は、例えばワイヤレス通信ネットワークにおいてマシンタイプ通信（ＭＴＣ）デバイス等の複数のワイヤレスデバイスをトリガするための技術および構成を提供する。以下の詳細な説明においては、本明細書の一部を形成する添付の図面が参照され、図面の全体において同様の数字は同様の部分をさし、図面には本開示の主題が実践されうる実施形態が例示される。本開示の範囲を逸脱することなく他の実施形態が利用されてよく、構造的または論理的変更がなされうることが理解されるべきである。したがって、以下の詳細な説明は限定の意味で解釈されてはならず、実施形態の範囲は添付の請求項およびその等価物により定義される。
【０００９】
本開示の目的上、「Ａおよび／またはＢ」の語句は、（Ａ）、（Ｂ）または（ＡおよびＢ）を意味する。本開示の目的上、「Ａ、Ｂ、および／またはＣ」の語句は、（Ａ）、（Ｂ）、（Ｃ）、（ＡおよびＢ）、（ＡおよびＣ）、（ＢおよびＣ）、または（Ａ、ＢおよびＣ）を意味する。
【００１０】
説明には「一実施形態では」または「複数の実施形態では」の語句を使用しうるが、これはそれぞれ、同じまたは異なる実施形態の一つ以上をさしうる。さらに、本開示の実施形態に関して使用されるところの「備える」、「含む」、「有する」などの用語は同義である。
【００１１】
本明細書において用いられるところの、「モジュール」という用語は、一つ以上のソフトウェアまたはファームウェアプログラムを実行する特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、電子回路、プロセッサ（共有、専用、またはグループ）および／またはメモリ（共有、専用、またはグループ）、組み合わせロジック回路、ならびに／または説明された機能性を提供する他の適切な構成要素をさし、その一部であり、またはそれを含みうる。
【００１２】
本明細書においては、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）およびその派生物、ＷｉＭＡＸフォーラム、アイトリプルイー（ＩＥＥＥ：Ｉｎｓｔｉｔｕｔｅ  ｆｏｒ  Ｅｌｅｃｔｒｉｃａｌ  ａｎｄ  Ｅｌｅｃｔｒｏｎｉｃ  Ｅｎｇｉｎｅｅｒｓ）８０２．１６規格（例えばＩＥＥＥ８０２．１６−２００５改訂版）、ロングタームエボリューション（ＬＴＥ：ｌｏｎｇ−ｔｅｒｍ  ｅｖｏｌｕｔｉｏｎ）プロジェクトとこれに伴う任意の改訂、更新、および／または修正（例えばアドバンストＬＴＥプロジェクト、ウルトラモバイルブロードバンド（ＵＭＢ：ｕｌｔｒａ  ｍｏｂｉｌｅ  ｂｒｏａｄｂａｎｄ）プロジェクト（「３ＧＰＰ２」とも呼称される）など）により特定される一つ以上のプロトコルに合致して動作するネットワークを含むブロードバンドワイヤレスアクセス（ＢＷＡ）ネットワークに関して例示的実施形態が記載されうる。ＩＥＥＥ８０２．１６に適合したＢＷＡネットワークは、一般にＩＥＥＥ８０２．１６規格の合致および相互運用性試験をパスした製品の証明マークであるＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表す頭字語をとってＷｉＭＡＸネットワークと呼ばれる。他の実施形態では、本明細書に記載される通信スキームは、追加的／代替的通信規格、仕様、および／またはプロトコルに適合しうる。例えば、本開示の実施形態は、類似の利点が得られる他のタイプのワイヤレスネットワークに適用されうる。かかるネットワークには、ワイヤレスローカルエリアネットワーク（ＷＬＡＮ）、ワイヤレスパーソナルエリアネットワーク（ＷＰＡＮ）および／またはワイヤレスワイドエリアネットワーク（ＷＷＡＮ）、例えばセルラネットワークなどが含まれうるが、これに限定されない。
【００１３】
以下の実施形態は、モバイルワイヤレス無線システムにおける伝送器および受信器を含む多様な応用例で使用されうる。本発明の実施形態の範囲内に特に含まれる無線システムには、ネットワークインタフェースカード（ＮＩＣ）、ネットワークアダプタ、基地局、アクセスポイント（ＡＰｔ）、リレーノード、エンハンストノードＢ、ゲートウェイ、ブリッジ、ハブおよび衛星無線電話が含まれるがこれに限定されない。さらに、本発明の実施形態の範囲内の無線システムには、衛星システム、パーソナル通信システム（ＰＣＳ）、双方向無線システム、グローバルポジショニングシステム（ＧＰＳ）、双方向ページャ、パーソナルコンピュータ（ＰＣ）および関連の周辺機器、パーソナルデジタルアシスタント（ＰＤＡ）、パーソナルコンピューティングアクセサリ、ならびに本質的に関連し、本明細書の実施形態の原理が適切に適用されうる全ての既存のシステムおよび将来生まれるシステムが含まれうる。
【００１４】
図１は、いくつかの実施形態によるブロードバンドワイヤレスアクセス（ＢＷＡ）ネットワーク１００の例を示した概略図である。ＢＷＡネットワーク１００は、一つ以上の無線アクセスネットワーク（ｒａｄｉｏ  ａｃｃｅｓｓ  ｎｅｔｗｏｒｋｓ）（以下「ＲＡＮ２０」）とコアネットワーク２５とを含みうる。ＢＷＡネットワーク１００は、本明細書においてより一般的にワイヤレス通信ネットワークと呼称されうる。
【００１５】
ユーザ機器（ＵＥ：Ｕｓｅｒ  Ｅｑｕｉｐｍｅｎｔ）１５は、例えばＲＡＮ２０内の基地局４０、４２等の一つなどの基地局（ＢＳ：ｂａｓｅ  ｓｔａｔｉｏｎ）を含む無線リンク（「リンク」）を介してコアネットワーク２５にアクセスしうる。ＵＥ１５は、例えば一つ以上のプロトコルに合致して基地局４０、４２と通信するように構成された加入者局でありうる。以下の説明は、議論を簡単にするため３ＧＰＰに合致するＢＷＡネットワーク１００の例について提供されるが、本開示の主題はこの点に関して限定されず、記載された実施形態は、本明細書に記載される原理から利益を享受する他のワイヤレス通信ネットワークに当てはまりうる。
【００１６】
いくつかの実施形態では、基地局４０、４２は、以下で「ｅＮＢ局」と称する一つ以上のノードＢ（一般に３ＧＰＰ  ＬＴＥにおけるイボルブドノードＢ、エンハンストノードＢ、ｅノードＢ、ｅＮＢとも表される）と、多入力多出力（ＭＩＭＯ：ｍｕｌｔｉｐｌｅ−ｉｎｐｕｔ  ａｎｄ  ｍｕｌｔｉｐｌｅ−ｏｕｔｐｕｔ）通信スキームを使用して通信するように構成されたＵＥ１５とを含みうる。基地局４０、４２は、一つ以上のアンテナ、エアインタフェース上で伝送または受信される信号を変調および／または復調する一つ以上の無線モジュール、およびエアインタフェース上で伝送および受信される信号を処理する一つ以上のデジタルモジュールを含みうる。ＵＥ１５の一つ以上のアンテナを使用して、（例えば基地局４０、４２のアンテナに対応しうる）ＢＷＡネットワーク１００の複数のそれぞれのコンポーネントキャリアの無線リソースが同時に利用されうる。いくつかの実施形態では、ＵＥ１５は、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を例えばダウンリンク通信に用い、および／または、シングルキャリア周波数分割多元接続（ＳＣ−ＦＤＭＡ）を例えばアップリンク通信に用いて通信するように構成されうる。
【００１７】
いくつかの実施形態では、ＵＥ１５は、別のマシンと通信するように構成され、マシンタイプ通信（ＭＴＣ）デバイスと呼称されうる。ＭＴＣデバイスという用語は、人間のインタラクションを必要とせずに別のマシンと通信するように構成されるデバイスをいう。例えば、ＭＴＣデバイスは、一または複数のサーバ５０のうちのサーバと通信するように構成されうる。ＭＴＣデバイスは、ワイヤレス送受信器に電気的に結合されたセンサのように単純でありうる。ワイヤレス送受信器は、ＷＰＡＮ、ＷＬＡＮ、およびＷＷＡＮの少なくとも一つと通信するように構成されうる。ＭＴＣデバイスは、マシンツーマシン通信に使用されうるスマートフォン、タブレットコンピューティングデバイス、またはワイヤレスラップトップなど、単純なデバイスから複雑なデバイスまで多様でありうる。ＭＴＣデバイスには、ＩＥＥＥ８０２．１６ｅ（２００５）もしくは８０２．１６ｍ（２００９）により定義される移動局または一般にＲｅｌ．８／９／１０と呼称される３ＧＰＰ  ＬＴＥ  Ｒｅｌｅａｓｅ８（２００８）、Ｒｅｌｅａｓｅ９（２００９）、またはＲｅｌｅａｓｅ１０（２０１１）により定義されるユーザ機器が含まれうる。本明細書で用いられるところのＭＴＣという用語は、「マシンツーマシン」（Ｍ２Ｍ）という用語を含むものともみなされ、「マシンツーマシン」（Ｍ２Ｍ）という用語は「ＭＴＣ」という用語と同義であるものとみなされる。いくつかの実施形態では、ＵＥ１５は、ＲＡＮ２０を介してサーバからトリガリング指示を受信したことに応答してサーバ（例えば一または複数のサーバ５０のなかのＭＴＣサーバ）との通信を確立するように構成される複数のワイヤレスデバイス（例えばＭＴＣデバイス）またはワイヤレスデバイスのグループを表しうる。
【００１８】
図１はＵＥ１５を携帯電話として一般的に示すが、様々な実施形態においてＵＥ１５は、パーソナルコンピュータ（ＰＣ）、ノートブック、ウルトラブック、ネットブック、スマートフォン、ウルトラモバイルＰＣ（ＵＭＰＣ）、ハンドヘルドモバイルデバイス、汎用ＩＣカード（ＵＩＣＣ：ｕｎｉｖｅｒｓａｌ  ｉｎｔｅｇｒａｔｅｄ  ｃｉｒｃｕｉｔ  ｃａｒｄ）、パーソナルデジタルアシスタント（ＰＤＡ）、加入者宅内機器（ＣＰＥ：Ｃｕｓｔｏｍｅｒ  Ｐｒｅｍｉｓｅ  Ｅｑｕｉｐｍｅｎｔ）、タブレット、またはＭＰ３プレーヤ、デジタルカメラなど、その他の家電でありうる。
【００１９】
いくつかの実施形態では、ＲＡＮ２０を介したＵＥ１５との通信は、一または複数のノード４５を介して促進されうる。一または複数のノード４５は、コアネットワーク２５とＲＡＮ２０との間のインタフェースとして働きうる。様々な実施形態によれば、一または複数のノード４５は、基地局４０、４２とコアネットワーク２５（例えば一または複数のサーバ５０）との間のシグナリング交換（例えばＵＥ１５の認証）を管理するように構成されるモバイルマネジメントエンティティ（ＭＭＥ：Ｍｏｂｉｌｅ  Ｍａｎａｇｅｍｅｎｔ  Ｅｎｔｉｔｙ）（例えば図２のＳＧＳＮ／ＭＭＥ５８）、インターネット６５へのゲートウェイルータを提供するパケットデータネットワークゲートウェイ（ＰＧＷ）（例えば図２のＧＧＳＮ／ＰＧＷ５１）、および／またはＲＡＮ２０の基地局４０、４２とＰＧＷとの間のユーザデータトンネルまたは経路を管理するサービングゲートウェイ（ＳＧＷ）を含みうる。他の実施形態では他のタイプのノードが使用されうる。
【００２０】
コアネットワーク２５は、ＵＥ１５のＢＷＡネットワーク１００との接続状態を提供するためにＵＥ１５の認証または通信リンクの確立に関連付けられたその他のアクションを提供するためのロジック（例えばモジュール）を含みうる。例えば、コアネットワーク２５は、基地局４０、４２に通信可能に結合されうる一または複数のサーバ５０を含みうる。一実施形態では、一または複数のサーバ５０は、ユーザの国際移動加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）、認証情報などのユーザパラメータを管理するために使用されうるホーム加入者サーバ（ＨＳＳ：Ｈｏｍｅ  Ｓｕｂｓｃｒｉｂｅｒ  Ｓｅｒｖｅｒ）（例えば図２のＨＬＲ／ＨＳＳ５６）を含みうる。コアネットワーク２５は、他のサーバ、インタフェース、およびモジュールを含みうるが、その一部は図２に関連してさらに記載される。一または複数のサーバ５０は、いくつかの実施形態ではオーバーディエア（ＯＴＡ：ｏｖｅｒ−ｔｈｅ−ａｉｒ）サーバを含みうる。いくつかの実施形態では、例えば単一のマシンまたはモジュールにおいて組み合わせられることを含めて、一または複数のサーバ５０の異なる機能性に関連付けられたロジックが組み合わせられて、いくつかのサーバが減少させられうる。
【００２１】
様々な実施形態によれば、ＢＷＡネットワーク１００は、インターネットプロトコル（ＩＰ：Ｉｎｔｅｒｎｅｔ  Ｐｒｏｔｏｃｏｌ）ベースのネットワークである。例えば、コアネットワーク２５は、ＩＰベースのネットワークでありうる。ネットワークノード（例えば一または複数のノード４５）間のインタフェースはＩＰベースであり、基地局４０、４２へのバックホール接続を含みうる。いくつかの実施形態では、ＢＷＡネットワーク１００は、グローバルシステムフォーモバイルコミュニケーション（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、高速パケットアクセス（ＨＳＰＡ：Ｈｉｇｈ  Ｓｐｅｅｄ  Ｐａｃｋｅｔ  Ａｃｃｅｓｓ）、イボルブドＨＳＰＡ（Ｅ−ＨＳＰＡ：Ｅｖｏｌｖｅｄ  ＨＳＰＡ）、またはロングタームエボリューション（ＬＴＥ）ネットワークを含む。いくつかの実施形態では、ＲＡＮ２０は、ＥＤＧＥがＧＳＭ（登録商標）エボリューション用エンハンストデータ（Ｅｎｈａｎｃｅｄ  Ｄａｔａ  ｆｏｒ  ＧＳＭ（登録商標）  Ｅｖｏｌｕｔｉｏｎ）を表すＧＳＭ（登録商標）  ＥＤＧＥ無線アクセスネットワーク（ＧＥＲＡＮ：ＧＳＭ（登録商標）  ＥＤＧＥ  Ｒａｄｉｏ  Ａｃｃｅｓｓ  Ｎｅｔｗｏｒｋ）、ユニバーサル地上波無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、またはイボルブドＵＴＲＡＮ（Ｅ−ＵＴＲＡＮ：Ｅｖｏｌｖｅｄ  ＵＴＲＡＮ）を含みうる。ＢＷＡネットワーク１００は、他の実施形態では他のネットワーク技術にしたがって動作しうる。
【００２２】
ＲＡＮ２０がＵＴＲＡＮである実施形態では、基地局４０、４２は、ＵＥ１５と通信するように構成されたｅＮＢ局および／または無線ネットワークコントローラ（ＲＮＣ：Ｒａｄｉｏ  Ｎｅｔｗｏｒｋ  Ｃｏｎｔｒｏｌｌｅｒ）を表しうる。ＲＡＮ２０がＧＥＲＡＮである実施形態では、基地局４０、４２は、基地伝送局（ＢＴＳ：ｂａｓｅ  ｔｒａｎｓｍｉｓｓｉｏｎ  ｓｔａｔｉｏｎ）を介してＵＥ１５（例えばＭＴＣデバイス等の移動局）と通信するように構成された基地局コントローラ（ＢＳＣ：ｂａｓｅ  ｓｔａｔｉｏｎ  ｃｏｎｔｒｏｌｌｅｒ）を表しうる。
【００２３】
ダウンリンク（ＤＬ）伝送は、基地局（例えば基地局４０または４２）からＵＥ１５（例えばＭＴＣデバイス）への通信であればよく、アップリンク（ＵＬ）伝送は、ＵＥ１５から基地局（例えば基地局４０または４２）への通信であればよい。
【００２４】
図２は、いくつかの実施形態による、複数のワイヤレスデバイスをトリガするためのシステムアーキテクチャ２００を示した概略図である。システムアーキテクチャ２００は、いくつかの実施形態では、複数のＭＴＣデバイスにトリガリング指示を効率的に通信するように構成されうる。例えば、ユーザ機器（ＵＥ）１５は、伝送のための少量の情報を収集するスマートメータまたはセンサを含み、またはこれと通信可能に結合されうる（例えば温度、在庫等についての情報を収集するように構成された健康モニタデバイス、自販機など）。いくつかの実施形態では、ＵＥ１５は複数のＭＴＣデバイスを表し、各ＭＴＣデバイスがＲＡＮ２０とワイヤレスで通信するように構成されうる。いくつかの実施形態では、アプリケーションサーバ２６は、コアネットワーク２５のサーバとの通信を確立するようにＵＥ１５をトリガするように構成されうる。例えばＵＥ１５は、サービス能力サーバ（ＳＣＳ：Ｓｅｒｖｉｃｅｓ  Ｃａｐａｂｉｌｉｔｙ  Ｓｅｒｖｅｒ）５２にデータペイロード（例えばセンサまたはメータ測定値、在庫レベル等のＭＴＣ情報を含むＭＴＣデータペイロード）を送信するようにトリガされうる。データペイロードは、いくつかの実施形態では、少量のデータペイロードを定義するように事前構成された閾値より小さければよい。事前構成された閾値は、いくつかの実施形態では、加入またはネットワークオペレータポリシーによりセットされうる。
【００２５】
様々な実施形態によれば、少量のデータペイロードがＵＥ１５によりＲＡＮ２０およびコアネットワーク２５を介してＳＣＳ５２またはアプリケーションサーバ２６に送信され、または少量のデータペイロードがアプリケーションサーバ２６またはＳＣＳ５２によりコアネットワーク２５およびＲＡＮ２０を介してＵＥ１５に送信されうる。例えば、アプリケーションサーバ２６は、ユーザ機器（ＵＥ）１５に少量のデータペイロードを送信し、および／またはその送信をトリガするように（例えばＭＴＣユーザにより）構成されうる。アプリケーションサーバ２６は、例えばインターネット接続（例えば図１のインターネット６５）を使用して、コアネットワーク２５と通信可能に結合されうる。別の例では、ＵＥ１５と通信可能または動作可能に結合されたＭＴＣアプリケーション２４が、ＵＥ１５からＳＣＳ５２および／またはアプリケーションサーバ２６に少量のデータペイロードを送信し、またはその送信をトリガするように構成されうる。いくつかの実施形態では、ＵＥ１５は、少量のデータペイロードを送信もしくは受信し、および／またはＭＴＣアプリケーション２４と通信するように別途構成されたＭＴＣデバイスである。いくつかの実施形態では、ＵＥ１５は、ＭＴＣアプリケーション２４を含みうる。
【００２６】
システムアーキテクチャ２００はＳＣＳ５２を含み、ＳＣＳ５２は少量データ（例えばＭＴＣ）通信のために構成されたＵＥ（例えばＵＥ１５）と通信するためにコアネットワーク２５に接続するように構成される。ＳＣＳ５２は、少量のデータペイロードの伝送をトリガするためにＭＴＣ−ＩＷＦ５４等のインターワーキング機能（ＩＷＦ：Ｉｎｔｅｒｗｏｒｋｉｎｇ  Ｆｕｎｃｔｉｏｎ）と通信するようにさらに構成されうる。いくつかの実施形態では、ＳＣＳ５２はＭＴＣサーバであり、またはＭＴＣサーバとアプリケーションサーバとを含みうる。
【００２７】
ＭＴＣ−ＩＷＦ５４は、ＳＣＳ５２とＭＴＣ−ＩＷＦ５４との間のＴｓｐリファレンスポイントまたはインタフェース（以下「リファレンスポイント」）を終端しうる。ＭＴＣ−ＩＷＦ５４は、内部公衆地上モバイルネットワーク（ＰＬＭＮ：ｐｕｂｌｉｃ  ｌａｎｄ  ｍｏｂｉｌｅ  ｎｅｔｗｏｒｋ）トポロジを隠し、Ｔｓｐリファレンスポイントを介して使用されるシグナリングプロトコルをリレーまたは変換してＰＬＭＮの特定の機能性を呼び出すように構成されうる。いくつかの実施形態では、ＭＴＣ−ＩＷＦ５４は、コアネットワーク２５との通信が確立されおよび／またはＳＣＳ５２からの制御プレーンリクエストが認可される前にＳＣＳ５２を認証しうる。様々な実施形態によれば、モジュール（例えば５４、５８）間の破線は制御プレーンを表し、モジュール間の実線はユーザプレーンを表す。モジュール間に特定のプレーンが示されうるが、他の実施形態は追加的または代替的なプレーンを含みうる。
【００２８】
一実施形態では、ＭＴＣ−ＩＷＦ５４は、例えばＳＧＳＮ／ＭＭＥ５８等のモビリティマネジメントエンティティ（ＭＭＥ：Ｍｏｂｉｌｉｔｙ  Ｍａｎａｇｅｍｅｎｔ  Ｅｎｔｉｔｙ）および／またはサービングＧＰＲＳ（汎用パケット無線サービス）サポートノード（ＳＧＳＮ：Ｓｅｒｖｉｎｇ  ＧＰＲＳ  Ｓｕｐｐｏｒｔ  Ｎｏｄｅ）を含むモジュール間のＴ５ａ／Ｔ５ｂリファレンスポイントを終端しうる。いくつかの実施形態では、Ｔ５ａリファレンスポイントはＳＧＳＮ／ＭＭＥ５８のＳＧＳＮ上で終端し、Ｔ５ｂリファレンスポイントはＳＧＳＮ／ＭＭＥ５８のＭＭＥ上で終端しうる。別の実施形態では、ＭＴＣ−ＩＷＦ５４は、例えばＨＬＲ／ＨＳＳ５６等のホームロケーションレジスタ（ＨＬＲ：Ｈｏｍｅ  Ｌｏｃａｔｉｏｎ  Ｒｅｇｉｓｔｅｒ）および／またはホーム加入者サーバ（ＨＳＳ）を含むモジュール間のＳ６ｍリファレンスポイントを終端しうる。
【００２９】
様々な実施形態によれば、Ｔ５ａ／Ｔ５ｂリファレンスポイントは、ＳＣＳ５２からの指示に基づいてネットワーク（例えば３ＧＰＰ  ＰＬＭＮ）に制御パケット情報を送信するために使用されうる。Ｓ６ｍリファレンスポイントは、ＭＴＣデバイス識別子またはＭＴＣアプリケーション識別子から識別子（例えばＩＭＳＩまたは移動局国際加入者ディレクトリ番号（ＭＳＩＳＤＮ：Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ）等の３ＧＰＰ内部デバイス識別子）を取得することによりダウンリンク通信のためのルーティング情報を導出するために使用されうる。いくつかの実施形態では、ＭＴＣ−ＩＷＦ５４は、Ｔ５ａ／Ｔ５ｂリファレンスポイントを介して複数のＭＴＣデバイスにトリガリング指示を有するページングメッセージを送信することにより複数のＭＴＣデバイス（例えばＵＥ１５）をトリガするように構成されうる。
【００３０】
一実施形態では、ＭＴＣ−ＩＷＦ５４は、セルブロードキャストセンター（ＣＢＣ）６０とＭＴＣ−ＩＷＦ５４との間のＴ６リファレンスポイントを終端しうる。ＭＴＣ−ＩＷＦ５４は、Ｔ６リファレンスポイントおよびＣＢＣ６０とＲＡＮ２０との間のＩｕＣＢリファレンスポイントを介して複数のＭＴＣデバイスにブロードキャストメッセージを送信することにより複数のＭＴＣデバイスをトリガするように構成されうる。いくつかの実施形態では、ＭＴＣ−ＩＷＦ５４は、セルブロードキャストエンティティ（ＣＢＥ）の機能性を行いうる。いくつかの実施形態では、ＭＴＣ−ＩＷＦ５４は、例えばブロードキャスト伝送のためのＣＢＳメッセージのいくつかのページに分けることを含めて、セルブロードキャスティングサービス（ＣＢＳ）メッセージをフォーマットするために使用されうる。したがって、いくつかの実施形態ではいくつかのＣＢＳメッセージがブロードキャストされうる。ＭＴＣ−ＩＷＦ５４は、ＣＢＣ６０を通じてＣＢＳメッセージをブロードキャストするように構成されうる。例えば、ＭＴＣ−ＩＷＦ５４は、ＭＴＣグループのＭＴＣデバイスがアイドルモードの場合にはトリガして起こし、少量データ伝送目的でＳＣＳ５２との通信を確立させるために、ＭＴＣグループのＭＴＣデバイスにブロードキャストメッセージを送信するように構成されうる。
【００３１】
いくつかの実施形態では、ＣＢＣ６０は、セルブロードキャストエンティティ（ＣＢＥ）６２とＣＢＣ６０との間のＴｃｂｓリファレンスポイントを終端しうる。いくつかの実施形態では、ＣＢＥ６２によりＣＢＣ６０にＴｃｂｓリファレンスポイントを介してトリガリングメッセージが送信されうる。例えば、ＣＢＥ６２は、いくつかの実施形態ではコロケートされまたはＳＣＳ５２の一部として実装されうる。この点でＣＢＣ６０は、ＳＣＳ５２（例えばＣＢＥ６２を含む）とＣＢＣ６０との間のリファレンスポイントを終端しうる。
【００３２】
システムアーキテクチャ２００は、ＨＬＲ／ＨＳＳ５６とＳＧＳＮ／ＭＭＥ５８との間のＧｒ／Ｓ６ａ／Ｓ６ｄリファレンスポイント、ＳＣＳ５２とＧＧＳＮ／ＰＧＷ５１との間のリファレンスポイントＴｉ、アプリケーションサーバ２６とＳＣＳ５２との間のリファレンスポイントアプリケーションプログラミングインタフェース（ＡＰＩ）、ＳＧＳＮ／ＭＭＥ５８とＲＡＮ２０との間のリファレンスポイントＳ１、およびＲＡＮ２０とＵＥ１５との間のリファレンスポイントＵｍ／Ｕｕ／ＬＴＥ−ＵＵをさらに含みうる。リファレンスポイントは、提供された名称例に限定されず、他の実施形態においては他の名称で呼称されうる。システムアーキテクチャ２００は、他の実施形態では他のリファレンスポイントを含みうる。
【００３３】
システムアーキテクチャ２００は、シグナリングオーバーヘッド、ネットワークリソース、または再配分の遅延等のネットワークインパクトが減少した少量のデータペイロードの伝送のための複数のＭＴＣデバイスのトリガをサポートしうる。いくつかの実施形態では、ＭＴＣ−ＩＷＦ５４により複数のＭＴＣデバイスにトリガリング指示が送信される際には複数のＭＴＣデバイス（例えばＵＥ１５）のうちの一または複数のＭＴＣデバイスがＲＡＮ２０に（例えば確立された無線リソース制御（ＲＲＣ：Ｒａｄｉｏ  Ｒｅｓｏｕｒｃｅ  Ｃｏｎｔｒｏｌ）接続により）アタッチまたはデタッチされうる。さらに、いくつかの実施形態では、ＭＴＣ−ＩＷＦ５４により複数のＭＴＣデバイスにトリガリング指示が送信される際には複数のＭＴＣデバイス（例えばＵＥ１５）のうちの一または複数のＭＴＣデバイスが接続モードまたはアイドルモードでありうる。
【００３４】
ＭＴＣデバイスの数が増加するにしたがい、全てがほぼ同じ時に通信することを試みる多数のＭＴＣデバイスに対処することが一つの課題である。例えば、大きな電力会社は、ＷＷＡＮを介して各顧客のユーティリティ使用値をワイヤレスで報告するためにＭＴＣデバイスを使用しうる。伝送局が広いエリアにわたるデータのリクエストを送信した場合、何万ものＭＴＣデバイスが同時にＲＡＮ２０に接続して、指定されたデータの通信を試みうる。これはＲＡＮ２０を溢れさせ、ＭＴＣデバイスによる報告を潜在的に妨げうることが明らかである。
【００３５】
多数のＭＴＣデバイスからの通信の潜在的洪水に対処する一つのやり方は、ＭＴＣデバイスをグループに分割することである。各ＭＴＣデバイスに、グループに対応する値（例えばグループ識別（ＩＤ）値）が割り当てられうる。グループＩＤ値は、ユーザまたは製造業者により割り当てられうる。あるいは、グループＩＤ値は、インターネットアドレスまたは媒体アクセス制御（ＭＡＣ）アドレス等の別の値に基づきうる。グループＩＤ値は静的でありうる。あるいは、グループＩＤ値は動的であり、値が必要時または所望時に割り当てまたは変更されることが可能でありうる。例えば、グループが大きくなりすぎた場合、グループ内のＭＴＣデバイスが通信する際のＲＡＮ上の負荷を平均するためにグループの一部のメンバーが別のグループに割り当てられうる。
【００３６】
各ＭＴＣデバイスにグループＩＤ値が割り当てられる場合には、選択された数のＭＴＣデバイスが所与の時間に通信するように指定されうる。通信には、ＭＴＣデバイスとＲＡＮ２０との間の接続を確立することを含みうる。通信は、ＭＴＣデバイスでＲＡＮ２０からデータを受信することまたはＭＴＣデバイスからＲＡＮ２０にデータを送信することも含みうる。
【００３７】
多くのＭＴＣアプリケーションでは、ＭＴＣデバイスと、いくつかの実施形態ではＭＴＣサーバと呼称されうるＭＴＣデバイスと通信するように指定されたサーバ（例えばＳＣＳ５２）等のマシンとの間の通信を可能するためにポールタイプモデルが使用されうる。ポールタイプモデルでは、ＳＣＳ５２が通信するためにＭＴＣデバイスにポーリングしうる。ポールタイプモデルが使用されるときには、ＭＴＣデバイスは、ＳＣＳ５２によりトリガされずに通信することがないように構成されうる。
【００３８】
ＭＴＣデバイスと通信するためのポールタイプモデルの使用には、多くの利点がある。例えば、ＭＴＣユーザ（例えば輸送管理会社）は、ＭＴＣデバイスからの通信を制御しうる。ＭＴＣデバイスは、ＳＣＳ５２にランダムにアクセスしない。これにより、ＲＡＮがＭＴＣデバイスのトラフィックにより溢れる可能性を減少させるように通信タイムラインがデザインされることが可能になる。また、ＭＴＣデバイスが典型的に通信を開始するアプリケーションでは、ＳＣＳ５２がＭＴＣデバイスからデータをポーリングすることがなお時折必要でありうる。したがって、一実施形態では、選択されたＭＴＣデバイスをＳＣＳ５２と通信するようにトリガするためにグループＩＤ値が使用されうる。
【００３９】
一実施形態では、ＣＢＳを使用してＲＡＮ２０を介してＳＣＳ５２から選択されたＭＴＣデバイスにトリガが通信されうる。特に、ＧＥＲＡＮまたはＵＴＲＡＮ仕様に基づいて動作するように構成される、本明細書でＧＥＲＡＮまたはＵＴＲＡＮシステムと呼称されるシステムにおいては、ＣＢＳが、グループＩＤ値を含むトリガ指示を複数のＭＴＣデバイスにＲＡＮ２０を介して通信するように構成されうる。
【００４０】
いくつかの実施形態では、ＣＢＳが、グループＩＤ値を含むトリガ指示を複数のＭＴＣデバイスにＲＡＮ２０を介して通信するように構成されうる。各ＭＴＣデバイスは、一または複数のＭＴＣグループＩＤ値を認識するＭＴＣアプリケーション（例えばＭＴＣアプリケーション２４）を含みうる。前述のように、各ＭＴＣデバイスのＭＴＣグループＩＤ値は、静的でも動的でもよい。この例では、ＳＣＳ５２からの通信は、ＭＴＣ−ＩＷＦ５４を介して制御プレーン上でセルブロードキャストセンター（ＣＢＣ）６０に送信されうる。
【００４１】
様々な実施形態によれば、ＭＴＣ−ＩＷＦ５４を一または複数のＭＴＣサーバ（例えばＳＣＳ５２）に接続するためにＴｓｐリファレンスポイントが使用されうる。Ｔｓｐリファレンスポイントは、ＳＣＳ５２からのデバイストリガリクエストの受信をサポートし、デバイストリガリクエストの許否をＳＣＳ５２に報告し、デバイストリガ配信の成功または失敗をＳＣＳ５２に報告し；トリガリクエストへの応答の一部として輻輳／負荷制御情報をＳＣＳ５２に提供しうる。Ｔｓｐリファレンスポイントは、ＭＴＣ−ＩＷＦ５４とＳＣＳ５２との間の通信にオプションのセキュリティおよびプライバシー保護も提供しうる。Ｔｓｐリファレンスポイントは、ＳＣＳ５２をＵＴＲＡＮベースのネットワークおよびＧＥＲＡＮベースのネットワークを含む３ＧＰＰネットワーク等のＷＷＡＮネットワークと接続するために３ＧＰＰネットワーク外のエンティティがＭＴＣ−ＩＷＦ５４と関連の制御プレーンシグナリングを通信するために使用するリファレンスポイントでありうる。
【００４２】
図３は、いくつかの実施形態による、複数のワイヤレスデバイスをトリガするためのスキーム３００の例を示した概略図である。スキーム３００の例は、例えばＲＡＮ２０がＵＴＲＡＮまたはＧＥＲＡＮを含む場合に使用されうる。
【００４３】
図２および３を参照すると、３０２で、ＳＣＳ５２と複数のＭＴＣデバイス（例えばＵＥ１５）との間の通信をトリガするためにＳＣＳ５２がＭＴＣ−ＩＷＦ５４にトリガを送信しうる。ＳＣＳ５２は、トリガリング指示を受信する複数のターゲットＵＥ（例えばＵＥ１５）を指示するためにトリガリングメッセージにＭＴＣデバイス識別子（ＩＤ）、グループＩＤ、および／またはＭＴＣアプリケーションＩＤを含むトリガリングメッセージを送信しうる。いくつかの実施形態では、ＳＣＳ５２は、複数のターゲットＵＥへの伝送のために少量のデータペイロードをＭＴＣ−ＩＷＦ５４へのメッセージにさらに含み、または別途送信しうる。他の実施形態では、アプリケーションサーバ２６が、ＭＴＣ−ＩＷＦ５４にトリガリングメッセージを直接送信しうる。いくつかの実施形態では、３０２でのＴｓｐリファレンスポイントを介した伝送のために、ＭＴＣ−ＩＷＦ５４とＳＣＳ５２との間に安全な接続が確立されうる。
【００４４】
３０４では、ＭＴＣ−ＩＷＦ５４が、３０２でトリガを受信したことに応答して、Ｔ６リファレンスポイントを介してＣＢＣ６０にトリガリング指示を送信しうる。いくつかの実施形態では、ＭＴＣ−ＩＷＦ５４は、ＣＢＣ６０が複数のＭＴＣデバイスに転送するためのトリガリング指示を含むブロードキャストメッセージ（例えばＣＢＳメッセージ）をＣＢＣ６０に送信しうる。例えば、ＭＴＣ−ＩＷＦ５４はＣＢＥの機能性を行い、複数のＭＴＣデバイスへのブロードキャスト伝送のためにＣＢＳメッセージをフォーマットしうる（例えばＣＢＳメッセージをいくつかのページに分ける）。ＣＢＳメッセージは、ブロードキャスト伝送を受信予定のターゲットＭＴＣデバイスを識別する情報をさらに含みうる。
【００４５】
あるいは、３０２および３０４でのアクションの代わりに、ＳＣＳ５２は、３０２でトリガリング指示をＣＢＣに送信（例えばリファレンスポイントＴｃｂｓを介して）するように構成されうる。このような実施形態では、ＣＢＥ６２は、コロケートまたはＳＣＳ５２の一部として実装され、ＣＢＣ６０が複数のＭＴＣデバイスに転送するためのトリガリング指示を含むブロードキャストメッセージ（例えばＣＢＳメッセージ）をＣＢＣ６０に送信するように構成されうる。例えば、ＳＣＳ５２はＣＢＥ６２の機能性を行い、複数のＭＴＣデバイスへのブロードキャスト伝送のためにＣＢＳメッセージをフォーマットしうる（例えばＣＢＳメッセージをいくつかのページに分ける）。ＣＢＳメッセージは、ブロードキャスト伝送を受信予定のターゲットＭＴＣデバイスを識別する情報をさらに含みうる。
【００４６】
３０６では、ＣＢＣ６０が、３０４または３０５で受信されたトリガリング指示に応答して、複数のＭＴＣデバイスへのトリガリング指示の伝送のためにリファレンスポイントＩｕＣＢを介してＲＡＮ２０にトリガリング指示を送信しうる。例えば、ＣＢＣ６０はＣＢＳメッセージをＲＡＮ２０に送信または転送しうる。ＲＡＮ２０がＧＥＲＡＮである実施形態では、ＲＡＮ２０は、基地局コントローラ（ＢＳＣ）および基地送受信システム（ＢＴＳ：Ｂａｓｅ  Ｔｒａｎｓｃｅｉｖｅｒ  Ｓｙｓｔｅｍ）を含みうる。このような実施形態では、ＣＢＣ６０は、ブロードキャストのためにトリガリング指示を含むＷＲＩＴＥ−ＲＥＰＬＡＣＥメッセージをＢＳＣに送信しうる。ＣＢＣは、ＣＢＳメッセージがブロードキャストされるべきセルのセットを決定し、ＢＳＣを介してＲＡＮ２０のＢＴＳにＣＢＳメッセージ（例えば固定長のＣＢＳメッセージ）を送信することによりブロードキャストを行いうる。
【００４７】
表１は、ＧＥＲＡＮにおいて複数のＭＴＣデバイスのトリガを指示するように構成されたＷＲＩＴＥ−ＲＥＰＬＡＣＥメッセージの内容例を示す。ＷＲＩＴＥ−ＲＥＰＬＡＣＥメッセージは、見てとれるように、情報要素（ＩＥ）、リファレンス（ｒｅｆｅｒｅｎｃｅ）、タイプ（ｔｙｐｅ）、および長さ（ｌｅｎｇｔｈ）についての値を含みうる。タイプフィールドは、情報要素の存在が必須（Ｍ：ｍａｎｄａｔｏｒｙ）か、オプション（Ｏ：ｏｐｔｉｏｎａｌ）か、条件付き（Ｃ：ｃｏｎｄｉｔｉｏｎａｌ）かを指示する値を含む。長さフィールドは、情報要素のオクテットのサイズまたは長さを指示する値を含む。ＷＲＩＴＥ−ＲＥＰＬＡＣＥメッセージは、本明細書に記載のメッセージ識別子ＩＥ（例えば図４のメッセージ識別子ＩＥ４００）を含みうる。
【００４８】
【表１】
0005887640.tif 000002
表１−ＧＥＲＡＮにおけるＷＲＩＴＥ−ＲＥＰＬＡＣＥメッセージの内容例
【００４９】
図４を簡単に参照すると、いくつかの実施形態によるメッセージ識別子情報要素（ＩＥ）４００が概略的に示されている。メッセージ識別子ＩＥ４００は、ＣＢＳメッセージのソースおよびタイプを識別するために使用されうる。メッセージ識別子ＩＥ４００は、メッセージ識別子ＩＥ４００の特徴を指示する一または複数のビットを含みうる。例えば、いくつかの実施形態では、メッセージ識別子ＩＥ４００は、要素識別子（ｅｌｅｍｅｎｔ  ｉｄｅｎｔｉｆｉｅｒ）を指示する８ビットの第一オクテット（オクテット１）ならびにメッセージ識別子を指示する第二オクテット（オクテット２）および第三オクテット（オクテット３）を含みうる。メッセージ識別子ＩＥ４００は、他の実施形態ではメッセージ識別子ＩＥ４００の特徴を指示する他のビット配分により構成されうる。
【００５０】
メッセージ識別子ＩＥ４００は、ＭＴＣデバイスのグループトリガリングを指示する値をメッセージ識別子フィールドに含みうる。例えば、メッセージ識別子フィールドは、十進数で６４０１〜４０９５９、１６進数で１９０１〜９ＦＦＦの範囲の値を含みうる。これらの範囲内のメッセージ識別子値が「サーチリスト」にあれば、ＵＥ１５はＣＢＳメッセージの受信を試みる。メッセージ識別子値は、１９０１〜９ＦＦＦの１６進数の範囲内でＭＴＣデバイスのグループトリガリングのために割り当てられうる。いくつかの実施形態では、６４０１の値を有するメッセージ識別子は、ＭＴＣトリガＣＢＳメッセージを指示し、６４０２の値を有するメッセージ識別子は、少量データＣＢＳメッセージを指示する。メッセージ識別子は、グループＣＢＳメッセージを指示する他の値を有しうる。メッセージ識別子は、他の実施形態ではＭＴＣトリガおよび／または少量データ伝送を指示するために他の値を有しうる。
【００５１】
いくつかの実施形態では、ＵＥ１５は、ＣＢＳメッセージのメッセージ識別子がＵＥ１５のローカルに記憶された「サーチリスト」のメッセージ識別子とマッチしたときにＣＢＳメッセージを受信するように構成されうる。「サーチリスト」は、例えば、ＵＥ１５の加入者識別モジュール（ＳＩＭ：ｓｕｂｓｃｒｉｂｅｒ  ｉｄｅｎｔｉｔｙ  ｍｏｄｕｌｅ）上のセルブロードキャストメッセージ識別子（Ｃｅｌｌ  Ｂｒｏａｄｃａｓｔ  Ｍｅｓｓａｇｅ  Ｉｄｅｎｔｉｆｉｅｒ）ファイル（例えばＥＦＣＢＭＩ、ＥＦＣＢＭＩＤ、またはＥＦＣＢＭＩＲファイル）に記憶されたメッセージ識別子を含みうる。例えば、ＵＥ１５は、サーチリスト中のＭＴＣトリガ、少量データ、および／またはグループＣＢＳメッセージを指示するメッセージ識別子を有するＣＢＳメッセージを受信し、サーチリスト中にないメッセージ識別子を有するＣＢＳメッセージを廃棄するように構成されうる。
【００５２】
表１ならびに図２および３に戻ると、ＷＲＩＴＥ−ＲＥＰＬＡＣＥメッセージのカテゴリ情報要素（ＩＥ）においてトリガの優先度が指示されうる。例えば、カテゴリＩＥは、高優先度（Ｈｉｇｈ  Ｐｒｉｏｒｉｔｙ）、バックグラウンド（Ｂａｃｋｇｒｏｕｎｄ）、またはノーマル優先度（Ｎｏｒｍａｌ  ｐｒｉｏｒｉｔｙ）を指示する値を有しうる。高優先度は、トリガができるだけ早い機会にブロードキャストされることを指示しうる。バックグラウンド優先度は、高優先度またはノーマルのカテゴリのＣＢＳメッセージがブロードキャストされないときにトリガがブロードキャストされることを指示しうる。繰返し周期が最低ブロードキャスト要件を定義しうる。ノーマル優先度は、トリガが関連の繰返し周期にしたがってブロードキャストされることを指示しうる。カテゴリＩＥが省略される場合には、ノーマルのデフォルトカテゴリがＣＢＳメッセージに適用されうる。
【００５３】
ＷＲＩＴＥ−ＲＥＰＬＡＣＥメッセージは、メッセージ内容情報要素（ＩＥ）をさらに含みうる。図５を簡単に参照すると、いくつかの実施形態によるメッセージ内容情報要素（ＩＥ）５００が概略的に示されている。メッセージ内容ＩＥ５００は、メッセージ内容ＩＥ５００の特徴を指示する一または複数のビットを含みうる。例えば、いくつかの実施形態では、メッセージ内容ＩＥ５００は、要素識別子を指示する８ビットの第一オクテット（オクテット１）と、ユーザ情報長（ｕｓｅｒ  ｉｎｆｏｒｍａｔｉｏｎ  ｌｅｎｇｔｈ）を指示する第二オクテット（オクテット２）と、メッセージ内容のための第三オクテット（オクテット３）とを含みうる。メッセージ内容ＩＥ５００は、他の実施形態ではメッセージ内容ＩＥ５００の特徴を指示する他のビット配分により構成されうる。メッセージ内容は、いくつかの実施形態では、ＵＥを識別する情報（例えばＵＥ識別子）、ＭＴＣトリガ、および／または少量のデータペイロードを含みうる。
【００５４】
図６を簡単に参照すると、いくつかの実施形態による、図５のメッセージ内容ＩＥ５００のメッセージ内容６００の例が概略的に示されている。メッセージ内容６００は、ＵＥ識別のためのオクテット３〜ｎおよびＭＴＣトリガおよび／または少量データ情報のためのオクテットｎ＋１〜８４を含めばよく、ｎは整数を表す。ＵＥ識別は、例えばＩＭＳＩ、ＭＴＣグループＩＤなど、任意の適切なＵＥ識別子を含みうる。いくつかの実施形態では、図５のメッセージ内容ＩＥ５００のユーザ情報（例えばＵＥ識別子）は、シリアル番号、メッセージ識別子およびデータコーディングスキームとともにＲＡＮ２０を介してブロードキャストされうる。
【００５５】
ＵＥ識別は、ＵＥ１５がＣＢＳメッセージのターゲットであるＭＴＣグループに帰属するかを判断するためにＵＥ１５により使用されうる。例えば、ＵＥ１５がＣＢＳメッセージのターゲットである複数のＭＴＣデバイスに帰属する場合には、ＵＥ１５はＣＢＳメッセージに応答しうる（例えばワイヤレス通信ネットワークとの接続を確立し、ＳＣＳ５２と通信する）。ＵＥ１５がＣＢＳメッセージのターゲットである複数のＭＴＣデバイスに帰属しない場合には、ＵＥ１５はＣＢＳメッセージを無視しうる。
【００５６】
メッセージ内容６００のフォーマットは、図４のメッセージ識別子ＩＥ４００のメッセージ識別子の値に依存しうる。例えば、メッセージ内容６００は、メッセージ識別子にＭＴＣトリガＣＢＳメッセージが指示されているときにはＭＴＣトリガを含み、またはメッセージ識別子に少量データＣＢＳメッセージが指示されているときには少量のデータペイロードを含みうる。いずれの場合にも、ＵＥがワイヤレス通信ネットワークとの通信を確立するためにトリガされうる。
【００５７】
表１ならびに図２および３に再び戻ると、一実施形態では、３０６でＣＢＣ６０が、ＭＴＣデバイスのグループトリガリングを指示するメッセージ識別子ＩＥ（例えばメッセージ識別子ＩＥ４００）（例えばＭＴＣ  Ｔｒｉｇｇｅｒ  ＣＢＳメッセージまたは少量データＣＢＳメッセージにそれぞれ対応するメッセージＩｄ６４０１または６４０２）を有するＷＲＩＴＥ−ＲＥＰＬＡＣＥメッセージを送信すればよく、メッセージ内容ＩＥ（例えば図５のメッセージ内容ＩＥ５００）が例えばＭＴＣトリガおよび／または少量データ等のトリガリング情報を含みうる。ＭＴＣトリガまたは少量データの情報は、他の実施形態では別の情報要素において送信されうる。例えば、別の実施形態では、ＣＢＣ６０はＭＴＣデバイスのグループトリガリングを指示するメッセージ識別子を有し、トリガ指示子のためのトリガ指示子情報要素（ＩＥ）（例えば図７のトリガ指示子ＩＥ７００）および／またはトリガ少量データ情報のためのトリガ−少量データ情報ＩＥ（例えば図８のトリガ−少量データ情報ＩＥ８００）をさらに含む、ＷＲＩＴＥ−ＲＥＰＬＡＣＥメッセージを送信しうる。トリガ指示子ＩＥまたはトリガ−少量データ情報ＩＥは、ＷＲＩＴＥ−ＲＥＰＬＡＣＥメッセージがＭＴＣトリガメッセージを含む場合にのみ含まれうる。
【００５８】
図７を簡単に参照すると、いくつかの実施形態によるトリガ指示子ＩＥ７００が概略的に示されている。トリガ指示子ＩＥ７００は、トリガ指示子ＩＥ７００の特徴を指示する一または複数のビットを含みうる。例えば、いくつかの実施形態では、トリガ指示子ＩＥ７００は、要素識別子を指示する８ビットの第一オクテット（オクテット１）と第二オクテット（オクテット２）とを含めばよく、第二オクテットの最初の４ビットはトリガ指示子のために使用され、第二オクテットの次の４ビットはスペアビットである。トリガ指示子ＩＥ７００は、他の実施形態ではトリガ指示子ＩＥ７００の特徴を指示する他のビット配分により構成されうる。
【００５９】
図８を簡単に参照すると、いくつかの実施形態によるトリガ−少量データ情報ＩＥ８００が概略的に示されている。トリガ−少量データ情報ＩＥ８００は、トリガ−少量データ情報ＩＥ８００の特徴を指示する一または複数のビットを含みうる。例えば、いくつかの実施形態では、トリガ−少量データ情報ＩＥ８００は、要素識別子を指示する８ビットの第一オクテット（オクテット１）と、オクテット１３０までのトリガ少量データ情報のための第二オクテット（オクテット２）とを含みうる。トリガ−少量データ情報ＩＥ８００は、他の実施形態では、トリガ−少量データ情報ＩＥ８００の特徴を指示する他のビット配分により構成されうる。
【００６０】
表１ならびに図２および３に再び戻ると、ＲＡＮ２０がＧＥＲＡＮである実施形態では、ＢＳＣが、３０６でＣＢＣから受信したＣＢＳメッセージを、セルリスト情報要素（ＩＥ）のセル識別子フィールドに指示された一または複数のセルにしたがってセルブロードキャストエリア内にブロードキャストしうる。ＢＳＣは、四つのショートメッセージサービス（ＳＭＳ：Ｓｈｏｒｔ  Ｍｅｓｓａｇｅ  Ｓｅｒｖｉｃｅ）ブロードキャストリクエストメッセージのシーケンスまたは一つのＳＭＳブロードキャストコマンドメッセージを介してブロードキャスト伝送のために一または複数のセルに対応する各適切なＢＴＳにＣＢＳメッセージをルーティングしうる。
【００６１】
表２は、ＳＭＳブロードキャストリクエストメッセージの内容例を示す。ＳＭＳブロードキャストリクエストメッセージは、見てとれるように、情報要素（ＩＥ）、リファレンス、存在、フォーマット、および長さの値を含みうる。存在フィールドは、情報要素の存在が必須（Ｍ）かオプション（Ｏ）かを指示する値を含む。フォーマットフィールドは、値のみ（Ｖ：Ｖａｌｕｅ  ｏｎｌｙ）またはタイプおよび値（ＴＶ：Ｔｙｐｅ  ａｎｄ  Ｖａｌｕｅ）を指示する値を含む。長さフィールドは、情報要素のオクテットのサイズまたは長さを指示する値を含む。ＳＭＳブロードキャストリクエストメッセージは、本明細書に記載のショートメッセージサービスセルブロードキャスト（ＳＭＳＣＢ）情報ＩＥ（例えば図９のＳＭＳＣＢ情報ＩＥ９００）を含みうる。
【００６２】
【表２】
0005887640.tif 000003
表２−ＳＭＳブロードキャストリクエストメッセージの内容例
【００６３】
図９は、いくつかの実施形態によるＳＭＳＣＢ情報ＩＥ９００を概略的に示す。ＳＭＳＣＢ情報ＩＥ９００は、ＳＭＳＣＢ情報ＩＥ９００の特徴を指示する一または複数のビットを含みうる。例えば、いくつかの実施形態では、ＳＭＳＣＢ情報ＩＥ９００は、要素識別子を指示する８ビットの第一オクテット（オクテット１）と、オクテット２４までのＳＭＳＣＢフレームのための第二オクテット（オクテット２）とを含みうる。ＳＭＳＣＢ情報ＩＥ９００は、他の実施形態ではＳＭＳＣＢ情報ＩＥ９００の特徴を指示する他のビット配分により構成されうる。
【００６４】
表３は、ＳＭＳブロードキャストコマンドメッセージの内容例を示す。ＳＭＳブロードキャストコマンドメッセージは、見てとれるように、情報要素（ＩＥ）、リファレンス、存在、フォーマット、および長さの値を含みうる。存在フィールドは、情報要素の存在が必須（Ｍ）かオプション（Ｏ）かを指示する値を含む。フォーマットフィールドは、値のみ（Ｖ）、タイプおよび値（ＴＶ）、またはタイプ、長さ、および値（ＴＬＶ：Ｔｙｐｅ，Ｌｅｎｇｔｈ，ａｎｄ  Ｖａｌｕｅ）を指示する値を含む。長さフィールドは、情報要素のオクテットのサイズまたは長さを指示する値を含む。ＳＭＳブロードキャストコマンドメッセージは、本明細書に記載のショートメッセージサービスセルブロードキャスト（ＳＭＳＣＢ）メッセージＩＥ（例えば図１０のＳＭＳＣＢメッセージＩＥ１０００）を含みうる。
【００６５】
【表３】
0005887640.tif 000004
表３−ＳＭＳブロードキャストコマンドメッセージの内容例
【００６６】
図１０は、いくつかの実施形態によるＳＭＳＣＢメッセージＩＥ１０００を概略的に示す。ＳＭＳＣＢメッセージＩＥ１０００は、ＳＭＳＣＢメッセージＩＥ１０００の特徴を指示する一または複数のビットを含みうる。例えば、いくつかの実施形態では、ＳＭＳＣＢメッセージＩＥ１０００は、要素識別子を指示する８ビットの第一オクテット（オクテット１）と、長さを指示する第二オクテット（オクテット２）と、ＳＭＳＣＢメッセージのためのオクテット３〜ｎとを含みうる。ＳＭＳＣＢメッセージＩＥ１０００は、他の実施形態ではＳＭＳＣＢメッセージＩＥ１０００の特徴を指示する他のビット配分により構成されうる。
【００６７】
ＳＭＳセルブロードキャストメッセージの送信をリクエストするために、ＢＳＣからＢＴＳにＳＭＳブロードキャストリクエストメッセージ（表２）が送信されうる。ＳＭＳＣＢ  ＩＥ（例えば図９のＳＭＳＣＢ情報ＩＥ９００）が使用されうる。ＳＭＳＣＢ  ＩＥは、無線経路上で使用されうるレイヤ２ヘッダを含むセルブロードキャストチャネル（ＣＢＣＨ）上でブロードキャストされる完全な情報を含みうる。ブロードキャストリクエストメッセージは、データをブロードキャストするために使用されうるＣＢＣＨを指示するＳＭＳＣＢチャネル指示子ＩＥを含みうる。ＳＭＳＣＢチャネル指示子ＩＥが存在しない場合には、デフォルトＣＢＣＨが使用されうる。
【００６８】
ＳＭＳセルブロードキャスト（ＣＢ：ｃｅｌｌ  ｂｒｏａｄｃａｓｔ）の送信をコマンドするために、ＢＳＣからＢＴＳへＳＭＳブロードキャストコマンドメッセージ（表３）が送信されうる。ブロードキャストコマンドメッセージは、行われるコマンドを含むＣＢコマンドタイプＩＥを含み、ＢＳＣが即時のブロードキャスト（例えば次のＣＢＣＨ機会での伝送）をリクエストし、ＢＴＳブロードキャストをデフォルトモードにセットすることを可能にしうる。ＳＭＳＣＢメッセージＩＥは、ＣＢＣＨ上でブロードキャストされるメッセージ情報を含みうる。
【００６９】
ＳＭＳＣＢチャネル指示子ＩＥは、データのブロードキャストに使用されるＣＢＣＨを指示しうる。ＳＭＳＣＢチャネル指示子ＩＥが存在しない場合には、デフォルトＣＢＣＨが使用されうる。ＢＴＳは、必要に応じてセグメンテーションを行い、および／またはブロックタイプおよびパディングを作成するように構成されうる。ＳＭＳブロードキャストコマンドメッセージがＢＴＳに送信され、ＢＴＳがメッセージをそれぞれ２２オクテット長の四つのブロックのシーケンスにセグメント化しうる。ＭＴＣデバイス（例えば図２のＵＥ１５）にオーバーディエア送信されることとなるＢＴＳが受信するＣＢＳメッセージの各ページは、８８オクテットのブロックに対応しうる。ＢＴＳは、ＭＴＣデバイスへのオーバーディエア伝送のために各８８オクテットブロックを四つの２２オクテットブロックにセグメント化するように構成されうる。ＢＴＳは、各２２オクテットブロックに１オクテットブロックタイプをヘッダとして追加して、伝送のための２３オクテット長のブロックを提供するように構成されうる。
【００７０】
図２および３に再び戻ると、３０８で、ＲＡＮ２０のＢＴＳが、トリガリング指示を含むＣＢＣ６０から受信したＣＢＳメッセージを複数のＭＴＣデバイスにブロードキャストしうる。表４は、ＢＴＳにより複数のＭＴＣデバイスに送信されるＣＢＳメッセージの内容例を示す。ＣＢＳメッセージの内容は、シリアル番号のためのオクテット番号１〜２、メッセージ識別子のためのオクテット番号３〜４、データコーディングスキームのためのオクテット番号５、ページパラメータのためのオクテット６およびメッセージの内容（例えばトリガリング指示またはその他のトリガリング情報）のためのオクテット７〜８８を含みうる。
【００７１】
【表４】
0005887640.tif 000005
表４−ＢＴＳにより送信されるＣＢＳメッセージの内容例
【００７２】
ＢＴＳは、いくつかの実施形態では、基地伝送局−移動局（ＢＴＳ−ＭＳ：ｂａｓｅ  ｔｒａｎｓｍｉｓｓｉｏｎ  ｓｔａｔｉｏｎ−ｍｏｂｉｌｅ  ｓｔａｔｉｏｎ）インタフェースを介してＣＢＳメッセージを伝送するように構成されうる。いくつかの実施形態では、移動局はＭＴＣデバイスでありうる。
【００７３】
一実施形態では、ＢＳＣ−ＢＴＳインタフェースおよびＢＴＳ−ＭＳインタフェースを介して送信されるトリガメッセージ（例えば表４のＣＢＳメッセージ）は、トランスペアレントデータコンテナにおいて追加的情報を搬送するようにさらに拡張されうる。例えば、ＭＴＣグループＩＤ値がトランスペアレントデータコンテナに含まれうる。ＭＴＣグループＩＤ値等のトランスペアレントデータコンテナ内の情報は、ＭＴＣデバイスにより直接解釈されうる。ＭＴＣデバイスは、この情報を使用して、当該ＭＴＣデバイスが当該ＭＴＣグループＩＤ値により識別されるＭＴＣグループに帰属するかを判断しうる。ＭＴＣデバイスは、トランスペアレントデータコンテナ内の情報に基づいて、トリガに応答し返すべきか否かを決定しうる。あるいは、選択されたグループＩＤ値を含むトリガメッセージにＭＴＣデバイスが応答することを可能にするために使用されうるＭＴＣグループＩＤ値を搬送するように、トリガメッセージ自体がエンハンスされうる。ＭＴＣデバイスは、ＭＴＣデバイスと同じグループＩＤ値を含むトリガメッセージに応答しうる。
【００７４】
別の実施形態では、トランスペアレントデータコンテナおよび／またはトリガメッセージは、複数の異なるＭＴＣグループＩＤ値を含みうる。これにより、ＭＴＣサーバ（例えば図２のＳＣＳ５２）が複数のグループのデバイスとの通信をリクエストすることが可能になる。加えて、一または複数のＭＴＣグループＩＤ値が別のタイプのメッセージにアタッチされうる。ＭＴＣデバイスは、メッセージおよび／またはトランスペアレントデータコンテナの各ＭＴＣグループＩＤ値を読み取るように構成されうる。ＭＴＣグループＩＤ値の一つがＭＴＣデバイスと同じである場合には、ＭＴＣデバイスはトリガメッセージに応答しうる。
【００７５】
ＲＡＮ２０がＵＴＲＡＮである実施形態では、ＣＢＣ６０は３０６でＲＡＮ２０の無線ネットワークコントローラ（ＲＮＣ）にトリガリング指示を送信するように構成されうる（例えばＷＲＩＴＥ−ＲＥＰＬＡＣＥメッセージとしてフォーマットされたＣＢＳメッセージにおいてトリガリング指示が送信されうる）。ＣＢＣ−ＲＮＣインタフェース上では、メッセージ識別子、シリアル番号およびセル識別子の組み合わせまたはトリプレットによりＣＢＳメッセージが一意的に識別されうる。表５は、ＣＢＣ６０によりＲＡＮ２０のＲＮＣに送信されるＵＴＲＡＮにおけるＷＲＩＴＥ−ＲＥＰＬＡＣＥメッセージの内容例を示す。ＷＲＩＴＥ−ＲＥＰＬＡＣＥメッセージは、見てとれるように、パラメータ、存在、ＩＥタイプおよびリファレンス、重要度、ならびに割り当てられた重要度の値を含みうる。存在フィールドは、情報要素の存在が必須（Ｍ）かオプション（Ｏ）かを指示する値を含む。表５のＷＲＩＴＥ−ＲＥＰＬＡＣＥメッセージのメッセージ識別子およびブロードキャストメッセージ内容パラメータ（例えばＩＥ）は、ＧＥＲＡＮにつき図４のメッセージ識別子ＩＥ４００および図５のメッセージ内容ＩＥ５００と関連してそれぞれ記載した実施形態に類似しまたは別途調和しうる。すなわち、ブロードキャストメッセージ内容パラメータは、ＲＡＮ２０を介した複数のＭＴＣデバイスへのブロードキャストのためのユーザ情報を含みうる（例えばトリガリング指示および／または情報を含むＣＢＳメッセージ）。
【００７６】
【表５】
0005887640.tif 000006
表５−ＷＲＩＴＥ−ＲＥＰＬＡＣＥメッセージの内容例
【００７７】
ＲＡＮ２０がＵＴＲＡＮである実施形態では、３０８でＲＡＮのＲＮＣにより複数のＭＴＣデバイスに送信されるトリガリング指示は、表６に示されるようなＣＢＳメッセージフォーマットでありうる。表６は、ＲＮＣにより複数のＭＴＣデバイスに（例えばｅＮＢ局等の一または複数の伝送ノードを経由して）送信されるＣＢＳメッセージの内容例を示す。ＣＢＳメッセージの内容は、メッセージタイプのためのオクテット番号１、メッセージ識別子のためのオクテット番号２〜３、シリアル番号のためのオクテット番号４〜５、データコーディングスキームのためのオクテット６およびセルブロードキャスト（ＣＢ）データ（例えばトリガリング指示またはその他のトリガリング情報）のためのオクテット７〜ｎを含みうる。
【００７８】
【表６】
0005887640.tif 000007
表６−ＲＮＣにより送信されるＣＢＳメッセージの内容例
【００７９】
表６に示されるＣＢＳメッセージのＣＢデータは、ＣＢＣ６０から受信されたＷＲＩＴＥ−ＲＥＰＬＡＣＥプリミティブパラメータを含みうる。表７は、見てとれるように、プリミティブパラメータのフォーマット例を示す。
【００８０】
【表７】
0005887640.tif 000008
表７−ＣＢデータにおけるプリミティブパラメータのフォーマット例
【００８１】
ＲＮＣは、３０６でＣＢＣからトリガリング指示を受信したのに応答して、単一のＳＭＳブロードキャストコマンドとしてフォーマットし、複数のＭＴＣデバイス（例えばＵＥ１５）に送信しうる。ＵＴＲＡＮシステムでは、ＲＮＣによりＵＥ１５に送信されるＣＢＳメッセージは、伝送ノード（例えばノードＢまたはｅＮＢ局）に完全にトランスペアレントでありうる。すなわち、いくつかの実施形態では、伝送ノードでデータのフラグメンテーション等のデータの操作は行われない。ＣＢＳメッセージは、一つのユニットとして無線インタフェースを介して複数のＭＴＣデバイスに伝送されうる。ＵＭＴＳ無線インタフェースのレイヤ２上の論理チャネルＣＴＣＨが、（例えば表６の）ＣＢＳメッセージを複数のＭＴＣデバイスに伝送するために使用されうる。
【００８２】
一実施形態では、ＲＮＣ−ＵＥインタフェースを介して送信されるメッセージは、トランスペアレントデータコンテナとして搬送されるようにさらに拡張されうる。前述のように、一または複数のグループＩＤ値がトランスペアレントデータコンテナ内に置かれうる。トランスペアレントデータコンテナにおいて搬送される情報は、ＵＥ１５が特定のＭＴＣグループに帰属するかを判断するためにＵＥ１５により直接解釈されうる。その情報に基づいて、ＵＥ１５はトリガに対する応答をＲＡＮ２０のＲＮＣに通信し返しうる。あるいは、トリガメッセージがＭＴＣグループＩＤにより識別されるのと同じグループに帰属するＵＥ１５を識別するために使用されうるＭＴＣグループＩＤを搬送するようにエンハンスされうる。別の選択肢は、ＲＡＮ２０において新規アクションコードのセットを含むＭＴＣデバイスのグループトリガリングのための新規メッセージを定義することである。
【００８３】
ＧＥＲＡＮおよびＵＴＲＡＮの両方において、３１０および３１２でＣＢＣ６０からＭＴＣサーバ（例えばＳＣＳ５２）にトリガの確認応答を提供し返すために、新規制御メッセージが導入されうる。確認応答は、ＭＴＣサーバにより使用可能な所望のフォーマットへの確認応答のフォーマットを可能にするためにＭＴＣ−ＩＷＦ５４を通じて通信されうる。ＵＥ１５は、３０８でトリガリング指示を受信したことに応答して３１４でＳＣＳ５２との通信を確立するように構成されうる。ＵＥ１５からＳＣＳ５２および／またはＳＣＳ５２からＵＥ１５への少量のデータペイロード（例えばＭＴＣデータペイロード）の伝送のために、ＵＥ１５とＳＣＳ５２との間に通信が確立されうる。
【００８４】
いくつかの実施形態では、複数のＭＴＣデバイスをトリガするためのトリガリング指示が、Ｔ５ａ／Ｔ５ｂリファレンスポイントを介してページングメッセージにおいて送信されうる。図１１は、いくつかの実施形態による、複数のワイヤレスデバイスをトリガするための別のスキーム１１００の例を概略的に示す。図１１の技術は、例えばＲＡＮ２０がＵＴＲＡＮまたはＥ−ＵＴＲＡＮである場合に使用されうる。
【００８５】
図２および１１を参照すると、１１０２でＳＣＳ５２が少量のデータペイロードの伝送をトリガするためにＭＴＣ−ＩＷＦ５４にメッセージを送信しうる。ＳＣＳ５２は、ＭＴＣデバイス識別（ＩＤ）、ＭＴＣグループＩＤ、および／もしくはＭＴＣアプリケーション（例えばＭＴＣアプリケーション２４）ＩＤまたはトリガを受信することが企図される複数のターゲットＵＥ（例えばＵＥ１５）を識別する他のＵＥ識別子をメッセージに含みうる。他の実施形態では、アプリケーションサーバ２６がＭＴＣ−ＩＷＦ５４にトリガを直接送信しうる。いくつかの実施形態では、１１０２での伝送のためにＭＴＣ−ＩＷＦ５４とＳＣＳ５２との間に安全な接続が確立されうる。
【００８６】
１１０４では、１１０２でトリガを受信したことに応答して、ＭＴＣ−ＩＷＦ５４が、Ｔ５ａ／Ｔ５ｂリファレンスポイントを介してＵＥ１５にトリガリング指示を送達するためのルーティング情報を得るためにＨＬＲ／ＨＳＳ５６にクエリしうる。いくつかの実施形態では、ＭＴＣ−ＩＷＦ５４は、ＭＴＣデバイスＩＤまたは他の識別子をＭＴＣ加入の一部として有しうるＨＬＲ／ＨＳＳ５６に例えばＭＴＣデバイスＩＤ等のＵＥ識別子を送信しうる。ＨＬＲ／ＨＳＳ５６は、ＭＴＣデバイスＩＤをターゲットＵＥのＩＭＳＩにマッピングし、ＩＭＳＩをＳＧＳＮ／ＭＭＥ５８のアドレスとともにＭＴＣ−ＩＷＦ５４に送信し返しうる。いくつかの実施形態では、ＭＴＣ−ＩＷＦ５４とＨＬＲ／ＨＳＳ５６との間に委託関係が確立されうる（例えばＭＴＣ−ＩＷＦ５４がコアネットワークのオペレータのドメイン外である場合）。１１０４でＭＴＣ−ＩＷＦ５４からクエリを受信したことに応答して、ＨＬＲ／ＨＳＳ５６は、ＩＭＳＩサービングノード識別および／またはオペレータポリシー、認可情報、失敗指示子と原因値などのその他の情報をＭＴＣ−ＩＷＦ５４に送信しうる。
【００８７】
１１０６では、ＭＴＣ−ＩＷＦ５４が、ターゲットＵＥに転送されるべきトリガリング指示をＴ５ａ／Ｔ５ｂリファレンスポイントを介してＳＧＳＮ／ＭＭＥ５８に送信しうる。ＭＴＣ−ＩＷＦ５４は、リクエストおよび少量のデータペイロードをＳＧＳＮ／ＭＭＥ５８に送信するためにＩＭＳＩを使用しうる。
【００８８】
１１０８では、ＳＧＳＮ／ＭＭＥ５８がトリガリング指示を含むページングメッセージをＲＡＮ２０に送信すればよく、次いでＲＡＮ２０が１１１０でトリガリング指示を含むページングメッセージをＵＥ１５に送信しうる。トリガリング指示は、ターゲットＵＥ１５のトラッキングエリアにブロードキャストされるページングメッセージに含まれうる。ＳＧＳＮ／ＭＭＥ５８は、いくつかの実施形態では、制御プレーンを介してトリガリング指示を含むページングメッセージを送信するように構成されうる。
【００８９】
１１１０でＲＡＮ２０（例えばノードＢまたはｅＮＢ局）によりＵＥ１５に送信されるページングメッセージにおいて、新規ＭＴＣトリガ指示が通信されうる。例えば、ページングメッセージは、ＲＡＮ２０によるシステム情報ブロック（ＳＩＢ：ｓｙｓｔｅｍ  ｉｎｆｏｒｍａｔｉｏｎ  ｂｌｏｃｋ）のブロードキャストをＭＴＣデバイスに通知しうる。ＳＩＢは、ＭＴＣトリガ指示およびＭＴＣグループＩＤを含みうる。ＳＩＢは、ＭＴＣ  ＳＩＢと呼称されうる。ＭＴＣグループＩＤが含まれる場合には、対応するＭＴＣグループに帰属するＭＴＣデバイスだけがＳＩＢを得るように構成されうる。ＭＴＣグループＩＤが含まれない場合には、全てのＭＴＣデバイスがＭＴＣ  ＳＩＢを得ることができる。Ｅ−ＵＴＲＡＮとして構成されるＲＡＮ２０では、ＭＴＣ  ＳＩＢのスケジューリング情報がタイプ１ＳＩＢ（ＳＩＢ１）において提供されうる。ＭＴＣデバイスは、まずＳＩＢ１情報を得た後、ＳＩＢ１に含まれるＭＴＣ  ＳＩＢのスケジューリング情報に基づいてＭＴＣ  ＳＩＢを得ることができる。表８は、１１１０でＲＡＮ２０からＵＥ１５に送信されるグループトリガリングを含むページングメッセージのフォーマット例を示す。
【００９０】
【表８】
0005887640.tif 000009
表８−グループトリガリングを含むページングメッセージのフォーマット例
【００９１】
１１１０でＭＴＣデバイスが帰属するＭＴＣグループに対応するＭＴＣグループトリガ通知を含むページングメッセージを受信した後、ＭＴＣデバイス（例えばＵＥ１５）は、ＲＡＮ２０からＳＩＢ１情報を受信し、その後ＳＩＢ１に含まれるＭＴＣ  ＳＩＢのスケジューリング情報に基づいてＳＩＢ情報を受信しうる。表９は、ＳＩＢ１情報のフォーマット例を示す。ＳＩＢ１は、ＵＥがセルにアクセスすることが許容されるかを評価するのに適した情報を含めばよく、その他のシステム情報のスケジューリングを定義する。
【００９２】
【表９】
0005887640.tif 000010
表９−グループトリガリングを含むＳＩＢ１情報のフォーマット例
【００９３】
表１０は、ＭＴＣ  ＳＩＢ（ＳＩＢ１４）のフォーマット例を示す。ＭＴＣ  ＳＩＢ（ＳＩＢ１４）は、ＭＴＣトリガ情報の内容を搬送するために定義された新規のシステム情報ブロックであればよく、ＭＴＣグループＩＤも含みうる。ＭＴＣ  ＳＩＢは、複数のＭＴＣグループのためのＭＴＣトリガ情報を含みうる。
【００９４】
【表１０】
0005887640.tif 000011
表１０−グループトリガリングを含むＳＩＢ１情報のフォーマット例
【００９５】
いくつかの実施形態では、ＲＡＮ２０が１１１２でＳＧＳＮ／ＭＭＥ５８に確認応答を送信することによりトリガリング指示の送達が成功したことをＳＧＳＮ／ＭＭＥ５８に知らせ、これが１１１４でＳＧＳＮ／ＭＭＥ５８によりＭＴＣ−ＩＷＦ５４に転送されうる。１１１６では、ＳＧＳＮ／ＭＭＥ５８が、少量のデータペイロードがＵＥ１５に送信されているという確認応答をＭＴＣ−ＩＷＦ５４に転送しうる。１１１６では、ＭＴＣ−ＩＷＦ５４がＳＣＳ５２に確認応答を転送し、または少量のデータペイロードがＵＥ１５に送達されているという確認応答を送信するようにＳＣＳ５２にトリガを別途送信する。ＳＣＳ５２は、例えばトリガに応答して確認応答をアプリケーションサーバ２６に送信しうる。
【００９６】
１１１８では、１１１０で受信したトリガリング指示を含むページングメッセージおよび／またはＳＩＢ情報に応答してＳＣＳ５２との通信を確立するようにＵＥ１５がトリガされうる。本明細書に記載のトリガリング指示は、ＭＴＣサーバ（例えばＳＣＳ５２）とトリガリング指示を受信する選択されたＭＴＣデバイス（例えばＭＴＣグループ）との間の通信を開始するように構成されうる。
【００９７】
図１２は、いくつかの実施形態による、複数のワイヤレスデバイスをトリガするための方法１２００の流れ図である。方法１２００は、図１〜１１と関連して記載される技術と調和しうる。
【００９８】
１２０２では、方法１２００は、ＩＷＦ（例えば図２のＭＴＣ−ＩＷＦ５４）により、サービス能力サーバ（ＳＣＳ）（例えば図２のＳＣＳ５２）から、ＳＣＳと複数のＭＴＣデバイスとの間の通信を開始するためのトリガを受信するステップを含む。１２０２でのアクションは、図３の３０２および／または図１１の１１０２と関連して記載されるアクションと調和しうる。
【００９９】
１２０４では、方法１２００は、ＩＷＦにより、ブロードキャスト伝送またはページングのためにトリガリング指示を含むメッセージをフォーマットするステップをさらに含みうる。いくつかの実施形態では、ＩＷＦはＣＢＥとして機能しうる。例えばＩＷＦは、ＣＢＳメッセージをＣＢＣ（例えば図２のＣＢＣ６０）によるブロードキャスト伝送のためにいくつかのページに分けうる。ＩＷＦは、任意の適切な基準（例えば可用性）を使用してブロードキャストまたはページングによりメッセージを送信すべきかを決定しうる。
【０１００】
１２０６では、方法１２００は、ＩＷＦにより、ＲＡＮ（例えば図２のＲＡＮ２０）を使用してトリガリング指示を含むメッセージを複数のＭＴＣデバイスに送信するステップをさらに含みうる。ＩＷＦは、ＩＷＦによる決定に基づいてブロードキャストまたはページングによりメッセージを送信しうる。いくつかの実施形態では、ＩＷＦは、トリガリング指示をＣＢＳメッセージにおいてＩＷＦとＣＢＣとの間のリファレンスポイントを介してＣＢＣを介してＲＡＮに送信しうる。図３と関連して記載した３０４でのアクションにしたがって、トリガリング指示が送信されうる。ＲＡＮは、いくつかの実施形態ではＧＥＲＡＮまたはＵＴＲＡＮでありうる。
【０１０１】
他の実施形態では、ＩＷＦは、トリガリング指示をページングメッセージにおいてＩＷＦとＳＧＳＮ／ＭＭＥとの間のリファレンスポイントを介してＳＧＳＮ／ＭＭＥ（例えば図２のＳＧＳＮ／ＭＭＥ５８）を介してＲＡＮに送信しうる。ページングメッセージは、複数のＭＴＣデバイスの個々のＭＴＣデバイスにＭＴＣ  ＳＩＢのブロードキャスト伝送を通知するように構成されうる。図１１と関連して記載した１１０６でのアクションにしたがって、トリガリング指示が送信されうる。
【０１０２】
様々な動作が、順番の複数の個別的な動作として、請求された主題を理解するのに最も有効な様式で説明されている。しかし、説明の順序は、これらの動作が順序に必然的に依存するものであることを意味するものと解釈されてはならない。特に、これらの動作は、提示された順序で行われなくてよい。記載された動作は、記載の実施形態とは異なる順序で行われうる。追加的実施形態では、様々な追加的動作が行われ、および／または記載された動作が省略されうる。
【０１０３】
本開示の実施形態は、任意の適切なハードウェアおよび／またはソフトウェアを使用して所望通りに構成したシステムに実装されうる。図１３は、本明細書に記載の様々な実施形態を実践するために使用されうるシステム１３００の例を概略的に示す。図１３は、一または複数のプロセッサ（単数または複数）１３０４と、プロセッサ（単数または複数）１３０４の少なくとも一つに結合されたシステム制御モジュール１３０８と、システム制御モジュール１３０８に結合されたシステムメモリ１３１２と、システム制御モジュール１３０８に結合された不揮発性メモリ（ＮＶＭ）／ストレージ１３１６と、システム制御モジュール１３０８に結合された一または複数の通信インタフェース（単数または複数）１３２０とを有する、一実施形態でのシステム１３００の例を示す。
【０１０４】
いくつかの実施形態では、システム１３００は、本明細書に記載のＵＥ１５として機能する能力がある。いくつかの実施形態では、ＵＥ１５のシステム制御モジュール１３０８は、ＮＡＳモジュールおよびＡＳモジュールをそれぞれのシグナリングのために含みうる。他の実施形態では、システム１３００は、図１の一または複数のサーバ５０として機能し、または基地局４０、４２、ＣＢＣ６０、一または複数のノード４５、ＳＣＳ５２、ＭＴＣ−ＩＷＦ５４、ＨＬＲ／ＨＳＳ５６、ＳＧＳＮ／ＭＭＥ５８、ＲＡＮ２０、ＧＧＳＮ／ＰＧＷ５１、および本明細書に記載のその他のモジュールにつき記載される機能を行うロジック／モジュールを別途提供する能力がありうる。いくつかの実施形態では、システム１３００は、命令を有する一または複数のコンピュータ可読媒体（例えばシステムメモリまたはＮＶＭ／ストレージ１３１６）と、この一または複数のコンピュータ可読媒体と結合され、本明細書に記載のアクションを行うモジュールを実装するために命令を実行するように構成された一または複数のプロセッサ（例えばプロセッサ（単数または複数）１３０４）とを含みうる。
【０１０５】
一実施形態のシステム制御モジュール１３０８は、プロセッサ（単数または複数）１３０４の少なくとも一つに、および／またはシステム制御モジュール１３０８と通信する任意の適切なデバイスまたは構成要素に任意の適切なインタフェースを提供するための、任意の適切なインタフェースコントローラを含みうる。
【０１０６】
システム制御モジュール１３０８は、システムメモリ１３１２へのインタフェースを提供するための、メモリコントローラモジュール１３１０を含みうる。メモリコントローラモジュール１３１０は、ハードウェアモジュール、ソフトウェアモジュール、および／またはファームウェアモジュールでありうる。
【０１０７】
システムメモリ１３１２は、例えばシステム１３００のデータおよび／または命令をロードおよび記憶するために使用されうる。一実施形態のシステムメモリ１３１２は、例えば適切なＤＲＡＭ等の任意の適切な揮発性メモリを含みうる。いくつかの実施形態では、システムメモリ１３１２は、ダブルデータレートタイプ４同期式動的ランダムアクセスメモリ（ＤＤＲ４  ＳＤＲＡＭ）を含みうる。
【０１０８】
一実施形態のシステム制御モジュール１３０８は、ＮＶＭ／ストレージ１３１６および通信インタフェース（単数または複数）１３２０へのインタフェースを提供するための、一または複数の入力／出力（Ｉ／Ｏ：ｉｎｐｕｔ／ｏｕｔｐｕｔ）コントローラ（単数または複数）を含みうる。
【０１０９】
ＮＶＭ／ストレージ１３１６は、例えばデータおよび／または命令を記憶するために使用されうる。ＮＶＭ／ストレージ１３１６は、例えばフラッシュメモリ等の任意の適切な不揮発メモリを含めばよく、ならびに／または例えば一または複数のハードディスクドライブ（ＨＤＤ：ｈａｒｄ  ｄｉｓｋ  ｄｒｉｖｅ）（単数または複数）、一または複数のコンパクトディスク（ＣＤ：ｃｏｍｐａｃｔ  ｄｉｓｋ）ドライブ（単数または複数）、および／もしくは一または複数のデジタル多用途ディスク（ＤＶＤ：ｄｉｇｉｔａｌ  ｖｅｒｓａｔｉｌｅ  ｄｉｓｋ）ドライブ（単数または複数）等の任意の適切な不揮発性記憶デバイス（単数または複数）を含めばよい。
【０１１０】
ＮＶＭ／ストレージ１３１６は、システム１３００がインストールされたデバイスの物理的部分である記憶資源を含めばよく、またはデバイスによりアクセス可能であるが必ずしもデバイスの部分である必要はない。例えば、ＮＶＭ／ストレージ１３１６は、ネットワークを介して通信インタフェース（単数または複数）１３２０を介してアクセスされうる。システムは、他の実施形態では他の非一時的ストレージを含みうる。
【０１１１】
通信インタフェース（単数または複数）１３２０は、一または複数のネットワーク（単数または複数）を介しておよび／または任意の他の適切なデバイスと通信するためのインタフェースをシステム１３００に提供しうる。システム１３００は、一または複数のワイヤレスネットワーク規格および／またはプロトコルのいずれかにしたがってワイヤレスネットワークの一または複数の構成要素とワイヤレスで通信しうる。
【０１１２】
一実施形態では、プロセッサ（単数または複数）１３０４の少なくとも一つは、例えばメモリコントローラモジュール１３１０などのシステム制御モジュール１３０８の一または複数のコントローラ（単数または複数）のロジックと一緒にパッケージされうる。一実施形態では、プロセッサ（単数または複数）１３０４の少なくとも一つは、システム制御モジュール１３０８の一または複数のコントローラのロジックと一緒にパッケージされてシステムインパッケージ（ＳｉＰ：Ｓｙｓｔｅｍ  ｉｎ  Ｐａｃｋａｇｅ）を形成しうる。一実施形態では、プロセッサ（単数または複数）１３０４の少なくとも一つは、システム制御モジュール１３０８の一または複数のコントローラ（単数または複数）のロジックと同じダイに集積されうる。一実施形態では、プロセッサ（単数または複数）１３０４の少なくとも一つは、システム制御モジュール１３０８の一または複数のコントローラ（単数または複数）のロジックと同じダイに集積されてシステムオンチップ（ＳｏＣ：Ｓｙｓｔｅｍ  ｏｎ  Ｃｈｉｐ）を形成しうる。
【０１１３】
様々な実施形態においてシステム１３００は、サーバ、ワークステーション、デスクトップコンピューティングデバイス、またはモバイルコンピューティングデバイス（例えばラップトップコンピューティングデバイス、ハンドヘルドコンピューティングデバイス、タブレット、ネットブックなど）でありうるがこれに限定されない。様々な実施形態においてシステム１３００は、相対的に多いまたは少ない構成要素、および／または異なるアーキテクチャを有しうる。例えばいくつかの実施形態では、システム１３００は、カメラ、キーボード、液晶ディスプレイ（ＬＣＤ：ｌｉｑｕｉｄ  ｃｒｙｓｔａｌ  ｄｉｓｐｌａｙ）スクリーン（タッチスクリーンディスプレイを含む）、不揮発性メモリポート、複数のアンテナ、グラフィックスチップ、特定用途向け集積回路（ＡＳＩＣ）、およびスピーカの一または複数を含む。
【０１１４】
本明細書においてはある実施形態が説明のために示され、記述されているが、同じ目的を達成するように計算された多種多様な代替的および／または等価的な実施形態または実装が、本開示の範囲を逸脱することなく、図と共に記載された実施形態と置き換えられうる。本出願は、本明細書に記載の実施形態の任意の改作または変形物に及ぶことを企図する。したがって、本明細書に記載の実施形態は、請求項およびその等価物のみにより限定されることが明白に企図される。
［項目１］
ワイヤレス通信ネットワークのインターワーキング機能（ＩＷＦ）により、マシンタイプ通信サーバ（ＭＴＣサーバ）から、前記ＭＴＣサーバと複数のＭＴＣデバイスとの間の通信を開始するためのトリガを受信するステップと、
前記ＩＷＦにより、セルブロードキャストセンター（ＣＢＣ）を含む第一モジュールへの第一リファレンスポイントを介して、または、モビリティマネジメントエンティティ（ＭＭＥ）もしくはサービング汎用パケット無線サービス（ＧＰＲＳ）サポートノード（ＳＧＳＮ）を含む第二モジュールへの第二リファレンスポイントを介して、無線アクセスネットワーク（ＲＡＮ）を使用して前記複数のＭＴＣデバイスにトリガリング指示を送信するステップと、
を備える方法。
［項目２］
前記トリガリング指示を送信するステップは、セルブロードキャスティングサービス（ＣＢＳ）を使用して前記第一モジュールへの前記第一リファレンスポイントを介して行われ、
前記方法は更に、
前記ＩＷＦにより、前記トリガリング指示を含むＣＢＳメッセージをフォーマットするステップを備え、
前記ＣＢＳメッセージをフォーマットするステップは、前記ＣＢＳメッセージをいくつかのページに分けるステップを含む、項目１に記載の方法。
［項目３］
前記トリガリング指示を送信するステップは、前記第二モジュールへの前記第二リファレンスポイントを介してページングメッセージにおいて行われ、
前記ページングメッセージは、前記複数のＭＴＣデバイスのうちの個々のＭＴＣデバイスに、ＭＴＣシステム情報ブロック（ＳＩＢ）のブロードキャスト伝送を通知し、
前記ＲＡＮは、ユニバーサル地上波無線アクセスネットワーク（ＵＴＲＡＮ）である
項目１に記載の方法。
［項目４］
ワイヤレス通信ネットワークのインターワーキング機能（ＩＷＦ）またはサービス能力サーバ（ＳＣＳ）を終端するリファレンスポイントを介して、マシンタイプ通信（ＭＴＣ）サーバと複数のＭＴＣデバイスとの間の通信を開始するためのトリガリング指示を受信するための手段と、
基地局コントローラ（ＢＳＣ）または無線ネットワークコントローラ（ＲＮＣ）へのセルブロードキャスティングサービスメッセージ（ＣＢＳメッセージ）において前記トリガリング指示を前記複数のＭＴＣデバイスに送信するための手段と、
を備える、セルブロードキャストセンター（ＣＢＣ）。
［項目５］
前記ＣＢＳメッセージは、ｗｒｉｔｅ−ｒｅｐｌａｃｅメッセージであり、
前記ＣＢＳメッセージは、メッセージ識別子情報要素（メッセージ識別子ＩＥ）を含み、
前記メッセージ識別子ＩＥは、前記複数のＭＴＣデバイスのグループトリガリングを指示する値を有する、
項目４に記載のＣＢＣ。
［項目６］
前記ＣＢＳメッセージは、トリガリング情報を有するメッセージ内容情報要素（ＩＥ）を含み、前記トリガリング情報は、前記トリガリング指示を受信する予定の前記複数のＭＴＣデバイスのうちの個々のＭＴＣデバイスを識別するユーザ機器識別子（ＵＥ識別子）を含み、
前記複数のＭＴＣデバイスのうちの個々のＭＴＣデバイスは、前記ＵＥ識別子の値に基づく前記トリガリング指示に応じて作動する、
項目４または５に記載のＣＢＣ。
［項目７］
前記ＣＢＳメッセージは、トリガ指示子情報要素（トリガ指示子ＩＥ）および少量データ情報要素（少量データＩＥ）のうちの少なくとも一方を含み、
前記トリガ指示子ＩＥおよび前記少量データＩＥのうちの少なくとも一方は、前記トリガリング指示に関連付けられたトリガリング情報を含み、
前記トリガリング情報は、前記トリガリング指示を含む、項目４から６の何れか１項に記載のＣＢＣ。
［項目８］
前記ＢＳＣへの前記ＣＢＳメッセージにおいて前記トリガリング指示を送信するための手段を更に備え、
前記ＢＳＣは、グローバルシステムフォーモバイルコミュニケーションズ（ＧＳＭ（登録商標））エボリューション用エンハンストデータレート（ＥＤＧＥ）の無線アクセスネットワーク（ＧＥＲＡＮ）を有するのＧＳＭ（登録商標）の基地送受信局（ＢＴＳ）を使用して、前記ＣＢＳメッセージをブロードキャストする、項目４から７の何れか１項に記載のＣＢＣ。
［項目９］
前記ＲＮＣへの前記ＣＢＳメッセージにおいて前記トリガリング指示を送信するための手段を更に備え、
前記ＲＮＣは、ユニバーサル地上波無線アクセスネットワーク（ＵＴＲＡＮ）のエンハンストノードＢ（ｅＮＢ）局を使用して前記ＣＢＳメッセージをブロードキャストする
、項目４から８の何れか１項に記載のＣＢＣ。
［項目１０］
前記ＣＢＳメッセージのブロードキャストを受信する予定のセルのセットを決定するための手段を更に備え、
前記ワイヤレス通信ネットワークは、グローバルシステムフォーモバイルコミュニケーション（ＧＳＭ（登録商標））、汎用パケット無線サービス（ＧＰＲＳ）、ユニバーサル移動体通信システム（ＵＭＴＳ）、高速パケットアクセス（ＨＳＰＡ）、イボルブドＨＳＰＡ（Ｅ−ＨＳＰＡ）、または、ロングタームエボリューション（ＬＴＥ）ネットワークを含む、項目４から９の何れか１項に記載のＣＢＣ。
［項目１１］
マシンタイプ通信（ＭＴＣ）サーバと複数のＭＴＣデバイスとの間の通信を開始するためのトリガリング指示を受信するための手段と、
前記トリガリング指示を前記複数のＭＴＣデバイスに送信するための手段と、を備え、
制御回路は、セルブロードキャストセンター（ＣＢＣ）を含む第一モジュールからの第一リファレンスポイントを介して、または、モビリティマネジメントエンティティ（ＭＭＥ）もしくはサービング汎用パケット無線サービス（ＧＰＲＳ）サポートノード（ＳＧＳＮ）を含む第二モジュールからの第二リファレンスポイントを介して、前記トリガリング指示を受信する
基地局。
［項目１２］
前記トリガリング指示を受信するための手段は、前記ＣＢＣを含む前記第一モジュールからのセルブロードキャスティングサービスメッセージ（ＣＢＳメッセージ）において前記トリガリング指示を受信する、
項目１１に記載の基地局。
［項目１３］
前記トリガリング指示を受信するための手段は、基地局コントローラ（ＢＳＣ）の一部であり、
前記トリガリング指示を送信するための手段は、基地送受信システム（ＢＴＳ）の一部であり、
前記ＢＳＣおよび前記ＢＴＳは、グローバルシステムフォーモバイルコミュニケーションズ（ＧＳＭ（登録商標））エボリューション無線アクセスネットワーク（ＧＥＲＡＮ）用エンハンストデータレート（ＥＤＧＥ）を有するＧＳＭ（登録商標）の一部である、
項目１２に記載の基地局。
［項目１４］
前記ＢＳＣは、ショートメッセージサービスブロードキャストコマンドメッセージ（ＳＭＳブロードキャストコマンドメッセージ）またはＳＭＳブロードキャストリクエストメッセージにおいて前記ＣＢＳメッセージを前記ＢＴＳに送信し、
前記ＳＭＳブロードキャストコマンドメッセージまたは前記ＳＭＳブロードキャストリクエストメッセージは、前記トリガリング指示を含むショートメッセージサービスセルブロードキャスト（ＳＭＳＣＢ）情報要素を含み、
前記ＢＴＳは、前記ＳＭＳブロードキャストコマンドメッセージまたはＳＭＳブロードキャストリクエストメッセージを、伝送のために２２オクテットをそれぞれ含む４ブロックにセグメント化する、
項目１３に記載の基地局。
［項目１５］
前記トリガリング指示を受信するための手段は、無線ネットワークコントローラ（ＲＮＣ）の一部であり、
前記トリガリング指示を送信するための手段は、前記ＲＮＣから受信された前記ＣＢＳメッセージの情報を操作せずに前記ＣＢＳメッセージをブロードキャストするエンハンストノードＢ（ｅＮＢ）局の一部であり、
前記ＲＮＣおよび前記ｅＮＢは、ユニバーサル地上波無線アクセスネットワーク（ＵＴＲＡＮ）の一部である、
項目１２に記載の基地局。
［項目１６］
前記トリガリング指示を受信するための手段は、前記ＭＭＥまたは前記ＳＧＳＮを含む前記第二モジュールからのページングメッセージにおいて前記トリガリング指示を受信し、
前記トリガリング指示を受信するための手段は、前記ページングメッセージを前記複数のＭＴＣデバイスに送信し、
前記ページングメッセージは、前記複数のＭＴＣデバイスのグループトリガリングを指示し、前記複数のＭＴＣデバイスにＭＴＣシステム情報ブロック（ＳＩＢ）のブロードキャスト伝送を通知する、
項目１１に記載の基地局。
［項目１７］
マシンタイプ通信デバイス（ＭＴＣデバイス）であって、
セルブロードキャストセンター（ＣＢＣ）を含む第一モジュールからの第一リファレンスポイントを介して、または、モビリティマネジメントエンティティ（ＭＭＥ）もしくはサービング汎用パケット無線サービス（ＧＰＲＳ）サポートノード（ＳＧＳＮ）を含む第二モジュールからの第二リファレンスポイントを介して、マシンタイプ通信サーバ（ＭＴＣサーバ）と前記ＭＴＣデバイスを含む複数のＭＴＣデバイスとの間の通信を開始するためのトリガリング指示を受信する手段と、
前記トリガリング指示に応答して前記ＭＴＣサーバとの通信を確立するための手段と、
を備える、ＭＴＣデバイス。
［項目１８］
前記受信のための手段は、前記ＣＢＣを含む前記第一モジュールからの前記第一リファレンスポイントを介して前記トリガリング指示を含むＣＢＳメッセージを受信し、
前記ＣＢＳメッセージは、前記複数のＭＴＣデバイスのうちの個々のＭＴＣデバイスを識別するユーザ機器識別子（ＵＥ識別子）を有するメッセージ内容情報要素（ＩＥ）をさらに含み、
前記通信を確立するための手段は、前記ＵＥ識別子が前記ＭＴＣデバイスを識別した場合に、前記ＭＴＣサーバとの前記通信を確立する、
項目１７に記載のＭＴＣデバイス。
［項目１９］
前記ＵＥ識別子が前記ＭＴＣデバイスの加入者識別モジュール（ＳＩＭ）に記憶されているかを判断するための手段
をさらに備える、項目１８に記載のＭＴＣデバイス。
［項目２０］
前記受信するための手段は、前記ＭＭＥまたはＳＧＳＮを含む前記第二モジュールからの前記第二リファレンスポイントを介して前記トリガリング指示を含むページングメッセージを受信し、
前記ページングメッセージは、前記複数のＭＴＣデバイスのグループトリガリングを指示し、前記複数のＭＴＣデバイスにＭＴＣシステム情報ブロック（ＳＩＢ）のブロードキャスト伝送を通知し、
前記受信するための手段は、前記ＭＴＣ  ＳＩＢを受信する、
項目１７に記載のＭＴＣデバイス。
【図１】
0005887640.tif 000012
【図２】
0005887640.tif 000013
【図３】
0005887640.tif 000014
【図４】
0005887640.tif 000015
【図５】
0005887640.tif 000016
【図６】
0005887640.tif 000017
【図７】
0005887640.tif 000018
【図８】
0005887640.tif 000019
【図９】
0005887640.tif 000020
【図１０】
0005887640.tif 000021
【図１１】
0005887640.tif 000022
【図１２】
0005887640.tif 000023
【図１３】
0005887640.tif 000024